(57)【要約】【課題】患者の個人情報の利用に制限が課された状況で、患者個人の追跡可能性を保証しつつ、医療提供施設において作成される情報と患者により作成される情報とを統合的に利用可能とする技術を提供する。【解決手段】本発明では、医療提供側端末において取得される医療情報が医療情報収集装置に蓄積される。また、患者側端末において取得される患者が申告する服薬又は症状に関連する申告情報が申告情報収集装置において蓄積される。そして、患者側端末からの依頼に応じて、医療情報収集装置において患者用識別子が発行され、発行された患者用識別子は申告情報収集装置に登録される。申告情報収集装置は、個人情報の代わりに、当該患者用識別子を用いて、医療情報収集装置において蓄積される医療情報の少なくとも一部の情報を取得する。そして、申告情報収集装置は、取得した情報を患者属性と対応付けて蓄積する。【選択図】図１
2015146215.tif 000002
【特許請求の範囲】
【請求項１】
医療従事者が患者に対して作成する医療情報の入力が行われる医療提供側端末と、
前記患者が申告する服薬又は症状に関連する申告情報の入力が行われる患者側端末と、
前記申告情報を収集する申告情報収集装置と、
前記医療情報を収集する医療情報収集装置と、
を含む情報処理システムが、
前記医療提供側端末において、前記医療情報の入力を受け付ける手段と、
前記医療提供側端末において、前記入力に係る前記医療情報を前記医療情報収集装置に送信する手段と、
前記医療情報収集装置において、前記医療提供側端末から送信される前記医療情報を受信する手段と、
前記医療情報収集装置において、前記患者を一意に特定することができる個人情報に対応付けて、受信した前記医療情報を蓄積する手段と、
前記患者側端末において、前記申告情報収集装置において前記患者を識別するための患者用識別子の発行を前記医療情報収集装置に依頼する手段と、
前記医療情報収集装置において、前記患者側端末からの前記依頼に応じて、前記個人情報に対応付けて前記患者用識別子を発行する手段と、
前記患者側端末において、前記医療情報収集装置により発行される前記患者用識別子の登録を前記申告情報収集装置に依頼する手段と、
前記申告情報収集装置において、前記患者側端末からの前記依頼に応じて、統計処理に用いることができ、かつ、前記患者を一意に特定することができない患者属性に対応付けて、前記患者用識別子を登録する手段と、
前記患者側端末において、前記申告情報の入力を受け付ける手段と、
前記患者側端末において、前記入力に係る前記申告情報を前記申告情報収集装置に送信する手段と、
前記申告情報収集装置において、前記患者側端末から送信される前記申告情報を受信する手段と、
前記申告情報収集装置において、受信した前記申告情報に係る患者の登録した前記患者用識別子に対応付けて、受信した前記申告情報を蓄積する手段と、
前記申告情報収集装置において、登録した前記患者用識別子により識別され、かつ、登録した前記患者用識別子に対応する個人情報により特定される前記患者について、前記医療情報収集装置において蓄積される前記医療情報の少なくとも一部の情報を取得する手段と、
前記申告情報収集装置において、登録した前記患者用識別子により識別され、かつ、登録した前記患者用識別子に対応する個人情報により特定される前記患者について取得した、前記医療情報の少なくとも一部の情報を、登録した前記患者用識別子に対応付けて蓄積する手段と、
を備える情報処理システム。
【請求項２】
前記医療情報の少なくとも一部の情報を取得する手段では、前記医療情報の少なくとも一部の情報として、前記医療情報収集装置において蓄積される前記医療情報に含まれ、かつ、蓄積した前記申告情報に含まれない差分情報が取得される
請求項１に記載の情報処理システム。
【請求項３】
前記医療情報収集装置において、前記個人情報により特定され、かつ、前記個人情報に対応する前記患者用識別子により識別される前記患者について、前記申告情報収集装置において蓄積される前記申告情報の少なくとも一部の情報を取得する手段と、
前記医療情報収集装置において、前記個人情報により特定され、かつ、前記個人情報に対応する前記患者用識別子により識別される前記患者について取得した、前記申告情報の
少なくとも一部の情報を、前記個人情報に対応付けて蓄積する手段と、
を更に備える請求項１又は２に記載の情報処理システム。
【請求項４】
前記申告情報の少なくとも一部の情報を取得する手段では、前記申告情報の少なくとも一部の情報として、前記申告情報収集装置において蓄積される前記申告情報に含まれ、かつ、蓄積した前記医療情報に含まれない差分情報が取得される
請求項３に記載の情報処理システム。
【請求項５】
医療従事者が患者に対して作成する医療情報を取得する手段と、
前記患者を一意に特定することができる個人情報に対応付けて前記医療情報を蓄積する手段と、
前記患者により申告される服薬又は症状に関連する申告情報を収集する申告情報収集装置において、前記個人情報に対応付けて蓄積される前記医療情報の少なくとも一部の情報を取得する際に、前記個人情報に代わって、前記患者を識別するために用いられる患者用識別子であって、前記申告情報収集装置において、統計処理に用いることができ、かつ、前記患者を一意に特定することができない患者属性と、前記医療情報の少なくとも一部の情報と、前記申告情報と、に対応付けられる患者用識別子を前記個人情報に対応付けて発行する手段と、
を備える医療情報収集装置。
【請求項６】
前記医療情報を蓄積する手段では、異なる医療提供施設において前記患者に対して共通に用いられる個人情報に前記医療情報が対応付けられることにより、前記異なる医療提供施設において作成される同一の患者についての複数件の医療情報が１件の医療情報に統合される
請求項５に記載の医療情報収集装置。
【請求項７】
前記医療従事者を識別するための医療従事者用識別子に基づいて、該医療従事者が従事する医療提供施設を特定する手段と、
特定した前記医療提供施設以外の医療提供施設で作成された部分を取り除いた上で、統合された前記１件の医療情報を提供する手段と、
を更に備える請求項６に記載の医療情報収集装置。
【請求項８】
患者を一意に特定することができる個人情報に代えて、医療従事者が前記患者に対して作成する医療情報を蓄積する医療情報収集装置において前記個人情報に対応付けられて発行された患者用識別子を、統計処理に用いることができ、かつ、前記患者を一意に特定することができない患者属性に対応付けて登録する手段と、
前記患者が申告する服薬又は症状に関連する申告情報を取得する手段と、
取得した前記申告情報に係る患者の登録した前記患者用識別子に対応付けて、取得した前記申告情報を蓄積する手段と、
登録した前記患者用識別子により識別され、かつ、登録した前記患者用識別子に対応する個人情報により特定される前記患者について、前記医療情報収集装置において蓄積される前記医療情報の少なくとも一部の情報を取得する手段と、
登録した前記患者用識別子により識別され、かつ、登録した前記患者用識別子に対応する個人情報により特定される前記患者について取得した、前記医療情報の少なくとも一部の情報を、登録した前記患者用識別子に対応付けて蓄積する手段と、
を備える申告情報収集装置。
【請求項９】
前記患者を識別するための私用識別子を発行する手段と、
同一の患者に対して発行された前記患者用識別子と前記私用識別子とを対応付ける手段と、
を備える請求項８に記載の申告情報収集装置。
【請求項１０】
患者側端末に、
患者によって申告された服薬又は症状に関連する申告情報を収集する申告情報収集装置が、医療従事者によって作成された前記患者についての医療情報の少なくとも一部の情報を取得する際に、前記患者を識別するために、前記患者を一意に特定することができる個人情報の代わりに用いる患者用識別子であって、前記申告情報収集装置において、統計処理に用いることができ、かつ、前記患者を一意に特定することができない患者属性と前記医療情報の少なくとも一部の情報とに対応付けられる患者用識別子の発行を、前記医療情報を収集する医療情報収集装置に依頼するステップと、
前記医療情報収集装置において発行される前記患者用識別子の登録を前記申告情報収集装置に依頼するステップと、
前記申告情報の入力を受け付けるステップと、
前記申告情報収集装置において、前記医療情報収集装置により発行される前記患者用識別子と対応付けられる、前記入力に係る前記申告情報を申告情報収集装置２に送信するステップと、
を実行させるための患者側端末用プログラム。
【請求項１１】
医療情報収集装置が、
医療従事者が患者に対して作成する医療情報を取得するステップと、
前記患者を一意に特定することができる個人情報に対応付けて前記医療情報を蓄積するステップと、
前記患者により申告される服薬又は症状に関連する申告情報を収集する申告情報収集装置において、前記個人情報に対応付けて蓄積される前記医療情報の少なくとも一部の情報を取得する際に、前記個人情報に代わって、前記患者を識別するために用いられる患者用識別子であって、前記申告情報収集装置において、統計処理に用いることができ、かつ、前記患者を一意に特定することができない患者属性と、前記医療情報の少なくとも一部の情報と、前記申告情報と、に対応付けられる患者用識別子を前記個人情報に対応付けて発行するステップと、
を実行する医療情報収集方法。
【請求項１２】
医療情報収集装置に、
医療従事者が患者に対して作成する医療情報を取得するステップと、
前記患者を一意に特定することができる個人情報に対応付けて前記医療情報を蓄積するステップと、
前記患者により申告される服薬又は症状に関連する申告情報を収集する申告情報収集装置において、前記個人情報に対応付けて蓄積される前記医療情報の少なくとも一部の情報を取得する際に、前記個人情報に代わって、前記患者を識別するために用いられる患者用識別子であって、前記申告情報収集装置において、統計処理に用いることができ、かつ、前記患者を一意に特定することができない患者属性と、前記医療情報の少なくとも一部の情報と、前記申告情報と、に対応付けられる患者用識別子を前記個人情報に対応付けて発行するステップと、
を実行させるための医療情報収集プログラム。
【請求項１３】
申告情報収集装置が、
患者を一意に特定することができる個人情報に代えて、医療従事者が前記患者に対して作成する医療情報を蓄積する医療情報収集装置において前記個人情報に対応付けられて発行された患者用識別子を、統計処理に用いることができ、かつ、前記患者を一意に特定することができない患者属性に対応付けて登録するステップと、
前記患者が申告する服薬又は症状に関連する申告情報を取得するステップと、
取得した前記申告情報に係る患者の登録した前記患者用識別子に対応付けて、取得した前記申告情報を蓄積するステップと、
登録した前記患者用識別子により識別され、かつ、登録した前記患者用識別子に対応する個人情報により特定される前記患者について、前記医療情報収集装置において蓄積される前記医療情報の少なくとも一部の情報を取得するステップと、
登録した前記患者用識別子により識別され、かつ、登録した前記患者用識別子に対応する個人情報により特定される前記患者について取得した、前記医療情報の少なくとも一部の情報を、登録した前記患者用識別子に対応付けて蓄積するステップと、
を実行する申告情報収集方法。
【請求項１４】
申告情報収集装置に、
患者を一意に特定することができる個人情報に代えて、医療従事者が前記患者に対して作成する医療情報を蓄積する医療情報収集装置において前記個人情報に対応付けられて発行された患者用識別子を、統計処理に用いることができ、かつ、前記患者を一意に特定することができない患者属性に対応付けて登録するステップと、
前記患者が申告する服薬又は症状に関連する申告情報を取得するステップと、
取得した前記申告情報に係る患者の登録した前記患者用識別子に対応付けて、取得した前記申告情報を蓄積するステップと、
登録した前記患者用識別子により識別され、かつ、登録した前記患者用識別子に対応する個人情報により特定される前記患者について、前記医療情報収集装置において蓄積される前記医療情報の少なくとも一部の情報を取得するステップと、
登録した前記患者用識別子により識別され、かつ、登録した前記患者用識別子に対応する個人情報により特定される前記患者について取得した、前記医療情報の少なくとも一部の情報を、登録した前記患者用識別子に対応付けて蓄積するステップと、
を実行させるための申告情報収集プログラム。
【発明の詳細な説明】
【技術分野】
【０００１】
本発明は、情報処理システム、医療情報収集装置、医療情報収集方法、医療情報収集プログラム、申告情報収集装置、申告情報収集方法、申告情報収集プログラム、及び、患者側端末用プログラムの技術に関する。
【背景技術】
【０００２】
従来、患者ＩＤ及び患者生体情報と、患者個人情報と、患者のカルテ情報、検査情報及び投薬情報等を含む診断結果情報とを対応付けて格納するデータベースを有する医療データベースサーバシステムがある（特許文献１を参照）。
【０００３】
また、医療機関の情報処理装置及び患者の自宅にある情報処理装置から、管理サーバ上に管理される患者の医療情報に追記を行うことを可能にする医療情報システムがある（特許文献２）。
【０００４】
さらに、患者の端末から送信される薬の服薬状況を格納することで、患者と薬局との間で薬歴情報を管理する薬歴情報管理装置がある（特許文献３）。
【先行技術文献】
【特許文献】
【０００５】
【特許文献１】特開２０１１−０３９６７４号公報
【特許文献２】特開２０１１−０２８３３０号公報
【特許文献３】国際公開第２００６／１２６５５６号
【発明の概要】
【発明が解決しようとする課題】
【０００６】
従来の技術では、薬局及び医療機関等の医療提供施設において作成される医療情報や薬歴情報等は、当該医療提供施設と患者との間で共通に利用されるデータベースにより管理される。そのため、一般的には、患者の個人情報の利用が制限される者、すなわち、医療提供施設における医療従事者（例えば、医師及び薬剤師）及び患者以外の者は、このデータベース上で管理される患者の医療情報や薬歴情報等を利用することができない。
【０００７】
また、従来の技術では、一般的に、患者の個人情報の利用制限される者が利用可能な情報は、患者自身によって作成される服薬状況等の情報に限られる。これらの情報は、患者自身によって作成されるため、当該情報の信頼性は、当該患者の勤勉性及び知識量等に依存する。そのため、一般的に、医療提供施設において作成される情報に比べて、患者の個人情報の利用制限される者が利用可能な情報の信頼性は低い。
【０００８】
このような状況で、近年、患者の個人情報の利用が制限される者の間で、患者の医療情報や薬歴情報等の利用に対する需要が高まってきている。例えば、近年、医師の処方箋が必要な薬を製薬会社が直接宣伝広告するＤＴＣ（Direct To Consumer）や、医師の処方箋が必要ではない薬（Over The Counter drug、ＯＣＴ）の販売が盛んになってきている。
このような薬を販売する製薬会社にとって、薬の販売や研究開発を促進するため等の理由により、患者個人の追跡可能性（トレーサビリティ：traceability）が保障された上で、販売する薬についての患者の服用状況や症状に関する情報を取得することが重要である。
【０００９】
しかしながら、製薬会社は、医療提供施設における医療従事者及び患者以外の者であり、患者の個人情報の利用が制限されるため、医療提供施設において作成される医療情報や薬歴情報等を利用することはできない。そして、製薬会社が利用できる情報である、患者自身によって作成される服薬状況等の情報は、医療提供施設において作成される医療情報や薬歴情報等の情報に比べて、その信頼性が低い。そのため、製薬会社は、販売する薬についての患者の服用状況や症状に関する情報を取得するために、独自に調査する必要があった。
【００１０】
このように、近年、患者の個人情報の利用が制限される者による患者の医療情報や薬歴情報等の利用に対する需要は高まってきている。特に、医師の処方箋が必要でない薬を販売する製薬会社にとっては、患者自身によって作成される服薬状況等の情報とともに、当該患者の医療情報や薬歴情報等を利用できる状況が望まれている。これに対して、従来の技術では、患者の個人情報の利用が制限される者は、データベース上で管理される患者の医療情報や薬歴情報等を利用することができなかったため、このような要求に十分に対応することができないという問題点があった。
【００１１】
本発明は、このような点を考慮してなされたものであり、患者の個人情報の利用に制限が課された状況で、患者個人の追跡可能性を保証しつつ、医療提供施設において作成される情報と患者により作成される情報とを統合的に利用することができる技術を提供することを目的とする。
【課題を解決するための手段】
【００１２】
本発明は、上述した課題を解決するために、以下の構成を採用する。
【００１３】
すなわち、本発明の情報処理システムは、医療従事者が患者に対して作成する医療情報の入力が行われる医療提供側端末と、前記患者が申告する服薬又は症状に関連する申告情報の入力が行われる患者側端末と、前記申告情報を収集する申告情報収集装置と、前記医療情報を収集する医療情報収集装置と、を含む。
【００１４】
そして、本発明の情報処理システムは、
前記医療提供側端末において、前記医療情報の入力を受け付ける手段と、
前記医療提供側端末において、前記入力に係る前記医療情報を前記医療情報収集装置に送信する手段と、
前記医療情報収集装置において、前記医療提供側端末から送信される前記医療情報を受信する手段と、
前記医療情報収集装置において、前記患者を一意に特定することができる個人情報に対応付けて、受信した前記医療情報を蓄積する手段と、
前記患者側端末において、前記申告情報収集装置において前記患者を識別するための患者用識別子の発行を前記医療情報収集装置に依頼する手段と、
前記医療情報収集装置において、前記患者側端末からの前記依頼に応じて、前記個人情報に対応付けて前記患者用識別子を発行する手段と、
前記患者側端末において、前記医療情報収集装置により発行される前記患者用識別子の登録を前記申告情報収集装置に依頼する手段と、
前記申告情報収集装置において、前記患者側端末からの前記依頼に応じて、統計処理に用いることができ、かつ、前記患者を一意に特定することができない患者属性に対応付けて、前記患者用識別子を登録する手段と、
前記患者側端末において、前記申告情報の入力を受け付ける手段と、
前記患者側端末において、前記入力に係る前記申告情報を前記申告情報収集装置に送信する手段と、
前記申告情報収集装置において、前記患者側端末から送信される前記申告情報を受信す
る手段と、
前記申告情報収集装置において、受信した前記申告情報に係る患者の登録した前記患者用識別子に対応付けて、受信した前記申告情報を蓄積する手段と、
前記申告情報収集装置において、登録した前記患者用識別子により識別され、かつ、登録した前記患者用識別子に対応する個人情報により特定される前記患者について、前記医療情報収集装置において蓄積される前記医療情報の少なくとも一部の情報を取得する手段と、
前記申告情報収集装置において、登録した前記患者用識別子により識別され、かつ、登録した前記患者用識別子に対応する個人情報により特定される前記患者について取得した、前記医療情報の少なくとも一部の情報を、登録した前記患者用識別子に対応付けて蓄積する手段と、を備える。
【００１５】
ここで、医療従事者とは、医療提供施設において、医療を提供する者を指す。例えば、医療従事者は、医師、歯科医師、薬剤師、看護師その他の医療の担い手である。なお、医療提供施設とは、病院、診療所、介護老人保健施設、調剤を実施する薬局その他の医療を提供する施設を指す。
【００１６】
また、統計処理に用いることができ、かつ、患者を一意に特定することができない患者属性とは、例えば、患者の年齢、性別、居住地に係る電話番号の市外局番、居住地の郵便番号、勤務地に係る電話番号の市外局番、又は、居住地の郵便番号等である。なお、患者属性は、患者を一意に特定することができなければ、これらの属性の組合せでもよい。つまり、患者属性とは、当該属性に該当する母集団の人数が１を超える属性を指す。
【００１７】
上記構成によれば、医療情報収集装置において、患者に関する医療情報は、個人情報に対応付けられて蓄積される。そして、患者側端末の依頼に応じて、医療情報収集装置は、申告情報収集装置において患者を識別するための患者用識別子を発行する。発行される患者用識別子は、患者側端末の依頼に応じて、申告情報収集装置に登録される。更に、患者用識別子は、申告情報収集装置において、統計処理に用いることができ、かつ、患者を一意に特定することができない患者属性、及び、患者により申告される服薬又は症状に関連する申告情報と対応づけられる。そして、申告情報収集装置は、当該患者用識別子により識別される患者について、医療情報収集装置に蓄積される医療情報の少なくとも一部の情報を取得し、当該取得した情報を、患者用識別子に対応付けて蓄積する。
【００１８】
つまり、上記構成によれば、申告情報収集装置において、医療情報の少なくとも一部の情報、申告情報、及び、患者属性が、患者用識別子に対応付けられる。これにより、申告情報収集装置では、患者を一意に特定することができる個人情報を持たないで、患者用識別子に対応付けられる医療情報の少なくとも一部の情報、申告情報、及び、患者属性を統合的に利用することが可能となる。
【００１９】
したがって、上記構成によれば、患者の個人情報の利用に制限が課された状況で、患者個人の追跡可能性を保証しつつ、医療提供施設において作成される情報と患者により作成される情報とを統合的に利用することが可能となる。
【００２０】
また、本発明の別の形態として、上記情報処理システムにおいて、前記医療情報の少なくとも一部の情報を取得する手段では、前記医療情報の少なくとも一部の情報として、前記医療情報収集装置において蓄積される前記医療情報に含まれ、かつ、蓄積した前記申告情報に含まれない差分情報が取得されてもよい。
【００２１】
上記構成によれば、申告情報収集装置では、重複した情報が取り除かれた状態で、申告情報と、医療情報の少なくとも一部の情報とが蓄積される。したがって、上記構成によれ
ば、効率的に情報を蓄積することができる。
【００２２】
また、本発明の別の形態として、上記情報処理システムは、
前記医療情報収集装置において、前記個人情報により特定され、かつ、前記個人情報に対応する前記患者用識別子により識別される前記患者について、前記申告情報収集装置において蓄積される前記申告情報の少なくとも一部の情報を取得する手段と、
前記医療情報収集装置において、前記個人情報により特定され、かつ、前記個人情報に対応する前記患者用識別子により識別される前記患者について取得した、前記申告情報の少なくとも一部の情報を、前記個人情報に対応付けて蓄積する手段と、
を更に備えてもよい。
【００２３】
上記構成によれば、医療情報収集装置において、個人情報に対応付けられて、医療情報と、申告情報の少なくとも一部の情報と、が蓄積される。したがって、上記構成によれば、医療情報収集装置においても、医療情報と申告情報とを統合的に利用することが可能となる。
【００２４】
また、本発明の別の形態として、上記情報処理システムにおいて、前記申告情報の少なくとも一部の情報を取得する手段では、前記申告情報の少なくとも一部の情報として、前記申告情報収集装置において蓄積される前記申告情報に含まれ、かつ、蓄積した前記医療情報に含まれない差分情報が取得されてもよい。
【００２５】
上記構成によれば、医療情報収集装置では、重複した情報が取り除かれた状態で、医療情報と、申告情報の少なくとも一部の情報とが蓄積される。したがって、上記構成によれば、効率的に情報を蓄積することができる。
【００２６】
また、本発明の別の形態として、本発明の医療情報収集装置は、
医療従事者が患者に対して作成する医療情報を取得する手段と、
前記患者を一意に特定することができる個人情報に対応付けて前記医療情報を蓄積する手段と、
前記患者により申告される服薬又は症状に関連する申告情報を収集する申告情報収集装置において、前記個人情報に対応付けて蓄積される前記医療情報の少なくとも一部の情報を取得する際に、前記個人情報に代わって、前記患者を識別するために用いられる患者用識別子であって、前記申告情報収集装置において、統計処理に用いることができ、かつ、前記患者を一意に特定することができない患者属性と、前記医療情報の少なくとも一部の情報と、前記申告情報と、に対応付けられる患者用識別子を前記個人情報に対応付けて発行する手段と、
を備える。
【００２７】
上記構成によれば、医療従事者が患者に対して作成する医療情報は、患者を一意に特定することができる個人情報に対応付けられて蓄積される。また、患者により申告される服薬又は症状に関連する申告情報を収集する申告情報収集装置において、前記個人情報に対応付けて蓄積される前記医療情報の少なくとも一部の情報を取得する際に、前記個人情報に代わって、前記患者を識別するために用いられる患者用識別子が発行される。この患者用識別子は、前記申告情報収集装置において、統計処理に用いることができ、かつ、前記患者を一意に特定することができない患者属性と、前記医療情報の少なくとも一部の情報と、前記申告情報と、に対応付けられる。
【００２８】
つまり、上記構成によれば、申告情報収集装置において、医療情報の少なくとも一部の情報、申告情報、及び、患者属性に対応付けられる患者用識別子が発行される。この発行される患者用識別子により、申告情報収集装置では、患者を一意に特定することができる
個人情報を持たないで、患者用識別子に対応付けられる医療情報の少なくとも一部の情報、申告情報、及び、患者属性を統合的に利用することが可能となる。
【００２９】
したがって、上記構成によれば、患者の個人情報の利用に制限が課された状況で、患者個人の追跡可能性を保証しつつ、医療提供施設において作成される情報と患者により作成される情報とを統合的に利用することが可能となる。
【００３０】
また、本発明の別の形態として、上記医療情報収集装置において、前記医療情報を蓄積する手段では、異なる医療提供施設において前記患者に対して共通に用いられる個人情報に前記医療情報が対応付けられることにより、前記異なる医療提供施設において作成される同一の患者についての複数件の医療情報が１件の医療情報に統合されてもよい。
【００３１】
上記構成によれば、異なる医療提供施設において前記患者に対して共通に用いられる個人情報に基づいて、異なる医療提供施設において作成される同一の患者についての複数件の医療情報が１件の医療情報に統合される。したがって、上記構成によれば、異なる医療提供施設において作成される同一の患者に対する複数件の医療情報を一括で管理することが可能となる。
【００３２】
また、本発明の別の形態として、上記医療情報収集装置は、
前記医療従事者を識別するための医療従事者用識別子に基づいて、該医療従事者が従事する医療提供施設を特定する手段と、
特定した前記医療提供施設以外の医療提供施設で作成された部分を取り除いた上で、統合された前記１件の医療情報を提供する手段と、
を更に備えてもよい。
【００３３】
上記構成によれば、医療従事者は、自身が所属する医療提供施設以外において作成された部分が取り除かれた上で、医療情報の提供を受ける。これにより、医療従事者は、自身が所属する医療提供施設以外において作成された医療情報を利用することができなくなる。したがって、上記構成によれば、医療提供施設間で利用制限を設けることが可能となる。
【００３４】
また、本発明の別の形態として、本発明の申告情報収集装置は、
患者を一意に特定することができる個人情報に代えて、医療従事者が前記患者に対して作成する医療情報を蓄積する医療情報収集装置において前記個人情報に対応付けられて発行された患者用識別子を、統計処理に用いることができ、かつ、前記患者を一意に特定することができない患者属性に対応付けて登録する手段と、
前記患者が申告する服薬又は症状に関連する申告情報を取得する手段と、
取得した前記申告情報に係る患者の登録した前記患者用識別子に対応付けて、取得した前記申告情報を蓄積する手段と、
登録した前記患者用識別子により識別され、かつ、登録した前記患者用識別子に対応する個人情報により特定される前記患者について、前記医療情報収集装置において蓄積される前記医療情報の少なくとも一部の情報を取得する手段と、
登録した前記患者用識別子により識別され、かつ、登録した前記患者用識別子に対応する個人情報により特定される前記患者について取得した、前記医療情報の少なくとも一部の情報を、登録した前記患者用識別子に対応付けて蓄積する手段と、
を備える。
【００３５】
上記構成によれば、申告情報収集装置では、患者を一意に特定することができる個人情報に代えて、患者用識別子が、患者属性に対応付けられて登録される。患者用識別子は、医療従事者が前記患者に対して作成する医療情報を蓄積する医療情報収集装置において、
個人情報に対応付けられて発行された識別子である。また、患者属性は、統計処理に用いることができ、かつ、患者を一意に特定することができない属性である。ここで、患者が申告する服薬又は症状に関連する申告情報は、当該患者用識別子に対応付けられて蓄積される。また、当該患者に関する医療情報の少なくとも一部の情報が、当該患者用識別子に対応付けられて蓄積される。
【００３６】
つまり、上記構成によれば、申告情報収集装置において、医療情報の少なくとも一部の情報、申告情報、及び、患者属性に対応付けられる患者用識別子が登録される。この登録される患者用識別子により、申告情報収集装置では、患者を一意に特定することができる個人情報を持たないで、患者用識別子に対応付けられる医療情報の少なくとも一部の情報、申告情報、及び、患者属性を統合的に利用することが可能となる。
【００３７】
したがって、上記構成によれば、患者の個人情報の利用に制限が課された状況で、患者個人の追跡可能性を保証しつつ、医療提供施設において作成される情報と患者により作成される情報とを統合的に利用することが可能となる。
【００３８】
また、本発明の別の形態として、上記申告情報収集装置は、
前記患者を識別するための私用識別子を発行する手段と、
同一の患者に対して発行された前記患者用識別子と前記私用識別子とを対応付ける手段と、
を備えてもよい。
【００３９】
上記構成によれば、患者を識別するために、申告情報収集装置において発行された私用識別子と、医療情報収集装置において発行された患者用識別子とが対応付けられる。これにより、上記構成によれば、既に存在する申告情報収集装置において、患者用識別子に対応付けられる医療情報の少なくとも一部の情報、申告情報、及び、患者属性を統合的に利用することが可能となる。したがって、上記構成によれば、既存の設備を用いて、本発明の実施が可能となる。
【００４０】
また、本発明の別の形態として、本発明の患者側端末用プログラムは、
患者側端末に、
患者によって申告された服薬又は症状に関連する申告情報を収集する申告情報収集装置が、医療従事者によって作成された前記患者についての医療情報の少なくとも一部の情報を取得する際に、前記患者を識別するために、前記患者を一意に特定することができる個人情報の代わりに用いる患者用識別子であって、前記申告情報収集装置において、統計処理に用いることができ、かつ、前記患者を一意に特定することができない患者属性と前記医療情報の少なくとも一部の情報とに対応付けられる患者用識別子の発行を、前記医療情報を収集する医療情報収集装置に依頼するステップと、
前記医療情報収集装置において発行される前記患者用識別子の登録を前記申告情報収集装置に依頼するステップと、
前記申告情報の入力を受け付けるステップと、
前記申告情報収集装置において、前記医療情報収集装置により発行される前記患者用識別子と対応付けられる、前記入力に係る前記申告情報を申告情報収集装置２に送信するステップと、
を実行させる。
【００４１】
上記構成によれば、医療従事者によって作成された患者についての医療情報を収集する医療情報収集装置に、患者用識別子の発行が依頼される。患者用識別子は、医療従事者によって作成された患者についての医療情報の少なくとも一部の情報を申告情報収集装置が取得する際に、当該患者を識別するために、当該患者を一意に特定することができる個人
情報の代わりに用いられる。なお、申告情報収集装置は、患者によって申告された服薬又は症状に関連する申告情報を収集する。
【００４２】
そして、当該依頼により発行された患者用識別子は、申告情報収集装置に対して行われる登録依頼により、当該申告情報収集装置において、患者属性と対応付けられて登録される。また、患者用識別子は、申告情報収集装置において、医療情報の少なくとも一部の情報と対応づけられる。なお、患者属性は、統計処理に用いることができ、かつ、前記患者を一意に特定することができない患者の属性である。
【００４３】
つまり、上記構成によれば、申告情報収集装置において、医療情報の少なくとも一部の情報、申告情報、及び、患者属性に対応付けられる患者用識別子が登録される。この登録される患者用識別子により、申告情報収集装置では、患者を一意に特定することができる個人情報を持たないで、患者用識別子に対応付けられる医療情報の少なくとも一部の情報、申告情報、及び、患者属性を統合的に利用することが可能となる。
【００４４】
したがって、上記構成によれば、患者の個人情報の利用に制限が課された状況で、患者個人の追跡可能性を保証しつつ、医療提供施設において作成される情報と患者により作成される情報とを統合的に利用することが可能となる。
【００４５】
なお、本発明の別態様としては、以上の情報処理システムの各手段を実現する１台の情報処理装置であってもよいし、情報処理方法であってもよいし、プログラムであってもよいし、このようなプログラムを記録したコンピュータその他装置、機械等が読み取り可能な記憶媒体であってもよい。ここで、コンピュータ等が読み取り可能な記憶媒体とは、プログラム等の情報を、電気的、磁気的、光学的、機械的、又は、化学的作用によって蓄積する媒体である。
【００４６】
また、本発明の別態様としては、以上の医療情報収集装置及び申告情報収集装置は、複数台の情報処理装置により構成されてもよい。更に、本発明の別態様としては、以上の医療情報収集装置又は申告情報処理装置の各手段を実現する情報処理方法であってもよいし、プログラムであってもよいし、このようなプログラムを記録したコンピュータその他装置、機械等が読み取り可能な記憶媒体であってもよい。
【００４７】
また、本発明の別形態としては、以上の患者側端末用プログラムにより実現される各ステップを実現する情報処理方法であってもよいし、このようなプログラムを記録したコンピュータその他装置、機械等が読み取り可能な記憶媒体であってもよいし、１又は複数台の情報処理装置であってもよい。
【発明の効果】
【００４８】
本発明によれば、患者の個人情報の利用に制限が課された状況で、患者個人の追跡可能性を保証しつつ、医療提供施設において作成される情報と患者により作成される情報とを統合的に利用することができる技術を提供することができる。
【図面の簡単な説明】
【００４９】
【図１】図１は、実施の形態に係る情報処理システムの概要を例示する。
【図２】図２は、実施の形態に係る医療情報収集装置の構成を例示する。
【図３】図３は、実施の形態に係る申告情報収集装置の構成を例示する。
【図４】図４は、実施の形態に係る患者側端末の構成を例示する。
【図５】図５は、実施の形態に係る医療提供側端末の構成を例示する。
【図６】図６は、実施の形態に係る情報処理システムにおける医療情報の蓄積に関する処理手順の一例を示したフローチャートである。
【図７】図７は、実施の形態に係る情報処理システムにおける患者用識別子の発行及び登録に関する処理手順の一例を示したフローチャートである。
【図８】図８は、実施の形態に係る情報処理システムにおける申告情報の蓄積に関する処理手順の一例を示したフローチャートである。
【発明を実施するための形態】
【００５０】
以下、本発明の一側面に係る実施の形態（以下、「本実施形態」とも表記する）を、図面に基づいて説明する。ただし、以下で説明する本実施形態は、あらゆる点において本発明の例示に過ぎず、その範囲を限定しようとするものではない。本発明の範囲を逸脱することなく種々の改良や変形を行うことができることは言うまでもない。つまり、本発明の実施にあたって、本実施形態に応じた具体的構成が適宜採用されてもよい。
【００５１】
なお、本実施形態において登場するデータを自然言語（日本語等）により説明しているが、より具体的には、コンピュータが認識可能な疑似言語、コマンド、パラメタ、マシン語等で指定される。
【００５２】
§１  情報処理システムの構成例
図１は、本実施形態に係る情報処理システム５の構成を例示する。本実施形態に係る情報処理システム５は、医療情報収集装置１、申告情報収集装置２、患者側端末３、及び、医療提供側端末４を含む。医療情報収集装置１は、医療従事者が患者に対して作成する医療情報を収集する１又は複数台の情報処理装置である。申告情報収集装置２は、患者が申告する服薬又は症状に関連する申告情報を収集する１又は複数台の情報処理装置である。患者側端末３は、申告情報の入力が行われる１又は複数台の情報処理装置である。また、医療提供側端末４は、医療情報の入力が行われる１又は複数台の情報処理装置である。なお、典型的には、医療情報収集装置１及び申告情報収集装置２は、複数台の情報処理装置であり、患者側端末３及び医療提供側端末４は、１台の情報処理装置である。これらの装置の台数は、実施環境等に応じて、適宜選択される。
【００５３】
本実施形態に係る情報処理システム５では、医療提供側端末４において、医療情報の入力が行われる。入力された医療情報は、医療提供側端末４から医療情報収集装置１へ送信される。そして、医療情報収集装置１では、当該医療情報は、患者を一意に特定することができる個人情報に対応付けられて、蓄積される。個人情報は、患者を一意に特定できる情報であれば如何なる情報であってもよい。個人情報は、例えば、保険証に記載される保険者番号等の１つの情報で表現されてもよいし、氏名及び住所等の複数種類の情報の組合せにより表現されてもよい。なお、複数の医療提供施設において同一の患者に係る医療情報が作成される場合、当該同一の患者に係る医療情報を統合的に管理するためには、個人情報は、当該複数の医療施設において共通に用いられる情報であることが好ましい。
【００５４】
また、本実施形態に係る情報処理システム５では、医療情報収集装置１は、患者側端末３から、申告情報収集装置２において患者を識別するための患者用識別子の発行を依頼される。本実施形態に係る医療情報収集装置１は、当該依頼に応じて、個人情報に対応付けて患者用識別子を発行する。よって、医療情報収集装置１では、患者用識別子が与えられると、当該患者用識別子により識別される患者の個人情報と医療情報とを取得することが可能である。
【００５５】
そして、本実施形態に係る情報処理システム５では、申告情報収集装置２は、患者側端末３から、医療情報収集装置１により発行される患者用識別子の登録を依頼される。本実施形態に係る申告情報収集装置２は、当該依頼に応じて、統計処理に用いることができ、かつ、患者を一意に特定することができない患者属性に対応付けて、当該患者用識別子を登録する。よって、本実施形態では、申告情報収集装置２は、個人情報を保持せず、患者
用識別子によって患者を識別する。申告情報収集装置２では、患者用識別子が与えられると、患者を一意に特定することができる個人情報ではなく、患者を一意に特定することはできないが、統計処理に用いることができる患者属性が取得される。なお、患者属性とは、例えば、患者の年齢、性別、居住地に係る電話番号の市外局番、居住地の郵便番号、勤務地に係る電話番号の市外局番、若しくは、居住地の郵便番号等その他の情報、又は、これら複数種類の情報の組合せで表現される。
【００５６】
また、本実施形態に係る情報処理システム５では、患者側端末３において、申告情報の入力が行われる。入力された申告情報は、患者用識別子とともに、患者側端末３から申告情報収集装置２へ送信される。そして、申告情報収集装置２では、当該申告情報は、患者用識別子に対応付けられて、蓄積される。
【００５７】
さらに、本実施形態に係る情報処理システム５では、申告情報収集装置２は、患者用識別子により識別される患者について、医療情報収集装置１に蓄積される医療情報の少なくとも一部の情報を取得する。本実施形態では、後述する理由により、申告情報収集装置２は、このような情報を、医療情報収集装置１又は医療提供側端末４から取得することができる。そして、申告情報収集装置２は、患者用識別子により識別される患者について取得した、当該医療情報の少なくとも一部の情報を患者用識別子に対応付けて蓄積する。つまり、医療情報の少なくとも一部の情報（以下、「共有医療情報」とも記載する）は、医療情報収集装置１及び申告情報収集装置２において共有される。
【００５８】
すなわち、本実施形態に係る情報処理システム５では、申告情報収集装置２において、医療情報の少なくとも一部の情報、申告情報、及び、患者属性は、患者用識別子に対応付けられる。そのため、申告情報収集装置２では、患者用識別子により、患者を一意に特定することができる個人情報を持たないで、患者用識別子に対応付けられる医療情報の少なくとも一部の情報、申告情報、及び、患者属性を統合的に利用することが可能となる。
【００５９】
これにより、本実施形態に係る情報処理システム５は、患者の個人情報の利用に制限が課された状況で、患者個人の追跡可能性を保証しつつ、医療提供施設において作成される情報と患者により作成される情報とを統合的に利用すること可能にする。
【００６０】
なお、情報処理システム５に含まれる医療情報収集装置１、申告情報収集装置２、患者側端末３、及び、医療提供側端末４それぞれの間における情報の伝達は、例えば、３Ｇ（3rd Generation）ネットワーク、インターネット、ＩＳＤＮ（Integrated Services Digital Network）等の電話網、及び、専用網等のネットワークを介したデータ通信で実現さ
れる。ネットワークの種類は、各データ通信に応じて、適宜選択される。
【００６１】
また、本実施形態に係る情報処理システム５では、医療情報収集装置１は、個人情報に対応付けられた患者用識別子により識別される患者について、申告情報収集装置２に蓄積される申告情報の少なくとも一部の情報を取得する。本実施形態では、後述するとおり、医療情報収集装置１は、このような情報を申告情報収集装置１又は患者側端末３から取得することができる。そして、医療情報収集装置１は、個人情報に対応付けられた患者用識別子により識別される患者について取得した、当該申告情報の少なくとも一部の情報を個人情報に対応付けて蓄積する。つまり、申告情報の少なくとも一部の情報（以下、「共有申告情報」とも記載する）は、医療情報収集装置１及び申告情報収集装置２において共有される。
【００６２】
すなわち、本実施形態に係る情報処理システム５では、医療情報収集装置１において、医療情報、及び、申告情報の少なくとも一部の情報は、個人情報に対応付けられる。そのため、本実施形態に係る医療情報収集装置１では、医療情報と申告情報とを統合的に利用
することが可能となる。
【００６３】
§２  各装置の構成例
次に、本実施形態に係る情報処理システム５に含まれる医療情報収集装置１、申告情報収集装置２、患者側端末３、及び、医療提供側端末４を図２〜５を用いて個別的に説明する。
【００６４】
＜医療情報収集装置＞
図２は、本実施形態に係る医療情報収集装置１の構成例を示す。医療情報収集装置１は、図２に示されるとおり、そのハードウェア構成として、バス１３に接続される、記憶部１１、制御部１２、及び、入出力部１４等を有している。
【００６５】
記憶部１１は、制御部１２で実行される処理で利用される各種データ及びプログラムを記憶する（不図示）。記憶部１１は、例えば、ハードディスク、フラッシュメモリ等の記憶装置によって実現される。
【００６６】
また、記憶部１１は、患者情報１１１を格納する。患者情報１１１は、医療情報収集装置１に蓄積される、患者に関する情報である。患者情報１１１は、患者毎に１件１件の情報として、例えば、１レコードの情報として記憶部１１に格納される。図２に示されるとおり、患者情報１１１には、個人情報Ｄ１、患者用識別子ＩＤ１、医療情報Ｄ２、及び、共有申告情報Ｄ３が含まれる。
【００６７】
個人情報Ｄ１は、患者を一意に特定可能な情報である。つまり、個人情報Ｄ１は、患者に係る情報のうち、当該属性に該当する母集団の人数が１となる情報を指す。個人情報Ｄ１は、上述のとおり、患者を一意に特定できる情報であれば如何なる情報であってもよい。個人情報は、例えば、保険証に記載される保険者番号等の１つの情報で表現されてもよいし、氏名及び住所等の複数種類の情報の組合せにより表現されてもよい。なお、複数の医療提供施設において同一の患者に係る医療情報が作成される場合、当該同一の患者に係る医療情報を統合的に管理するためには、個人情報は、当該複数の医療施設において共通に用いられる情報であることが好ましい。
【００６８】
また、当該個人情報Ｄ１は、医療情報取集装置１に接続される入力装置（不図示）により、医療情報収集装置１に直接入力されることで取得されてもよい。また、個人情報Ｄ１は、医療情報収集装置１に接続可能なＵＳＢ（Universal Serial Bus）メモリ等の記憶媒体から取得されてもよい。さらに、個人情報Ｄ１は、医療提供側端末４等の他の装置からネットワークを介して取得されてもよい。個人情報Ｄ１の取得方法は、本発明を限定するものではない。
【００６９】
患者用識別子ＩＤ１は、申告情報収集装置２において患者を識別するための識別子である。患者用識別子ＩＤ１は、個人情報Ｄ１に対応付けられている。患者用識別子ＩＤ１は、例えば、英数字の文字列で表現される。患者用識別子ＩＤ１は、後述する患者用識別子発行部１２２により発行される。
【００７０】
医療情報Ｄ２は、医療従事者が患者に対して作成する情報である。医療情報Ｄ２は、例えば、医師により作成されたカルテ情報、処方箋の情報、又は、薬剤師によりお薬手帳に記入される情報等である。本実施形態では、医療情報Ｄ２は、医療提供側端末４を介して取得される。
【００７１】
共有申告情報Ｄ３は、後述する共有申告情報取得処理部１２３によって取得される、申告情報収集装置２に蓄積される申告情報の少なくとも一部の情報である。共有申告情報Ｄ
３は、申告情報収集装置２に蓄積される申告情報そのものであってもよい。また、共有申告情報Ｄ３は、申告情報収集装置２に蓄積される申告情報から医療情報収集装置１に蓄積される医療情報Ｄ２に含まれる情報を取り除いた差分情報であってもよい。
【００７２】
なお、本実施形態では、個人情報Ｄ１、患者用識別子ＩＤ１、医療情報Ｄ２、及び、共有申告情報Ｄ３が１件の患者情報１１１に含まれることで、患者用識別子ＩＤ１、医療情報Ｄ２、及び、共有申告情報Ｄ３は、個人情報Ｄ１に対応付けられている。ただし、当該対応付けは、このような形式に限定されるものではない。例えば、対応付けの関係を示すテーブルを記憶部１１が保持することにより、当該対応付けが表現されてもよい。
【００７３】
制御部１２は、マイクロプロセッサ又はＣＰＵ（Central Processing Unit）等の１又
は複数のプロセッサと、このプロセッサの処理に利用される周辺回路（ＲＯＭ（Read Only Memory）、ＲＡＭ（Random Access Memory）、インタフェース回路等）と、を有する。制御部１２は、記憶部１１に格納されている各種データ及びプログラムを実行することにより、本実施形態における医療情報収集装置１の処理を実現する。なお、ＲＯＭ、ＲＡＭ等は、制御部１２内のプロセッサが取り扱うアドレス空間に配置されているという意味で主記憶装置と呼ばれてもよい。
【００７４】
入出力部１４は、医療情報収集装置１の外部に存在する装置とデータの送受信を行うための１又は複数のインタフェースである。入出力部３１は、例えば、入力装置及び出力装置等のユーザインタフェースと接続するためのインタフェース、ネットワークに接続するためのインタフェース、若しくは、ＵＳＢメモリ等の装置とＵＳＢ接続をするためのインタフェース、又は、これらのインタフェースの組合せである。
【００７５】
本実施形態に係る医療情報収集装置１の処理は、制御部１２の処理として実現される。図２に示されるとおり、制御部１２は、医療情報取得処理部１２１、患者用識別子発行部１２２、共有申告情報取得処理部１２３、共有医療情報送信処理部１２４、及び、情報提供部１２５を含む。医療情報取得処理部１２１、患者用識別子発行部１２２、共有申告情報取得処理部１２３、共有医療情報送信処理部１２４、及び、情報提供部１２５は、例えば、記憶部１１に格納されたプログラム等が制御部１２の周辺回路であるＲＡＭ等に展開され、制御部１２のプロセッサにより実行されることによって実現される。
【００７６】
医療情報取得処理部１２１は、医療従事者が患者に対して作成する医療情報Ｄ２を取得して、取得した医療情報Ｄ２を医療情報収集装置１に蓄積する。本実施形態では、医療情報取得処理部１２１は、医療提供側端末４から送信される医療情報Ｄ２を受信することで、医療情報Ｄ２を取得する。そして、医療情報取得処理部１２１は、取得した医療情報Ｄ２を個人情報Ｄ１に対応付けて記憶部１２に格納することで、医療情報D２を医療情報収
集装置１に蓄積する。
【００７７】
患者用識別子発行部１２２は、申告情報収集装置２において患者を識別するために用いられる患者用識別子ＩＤ１を、当該患者の個人情報Ｄ１に対応付けて発行する。本実施形態では、患者側端末３から、患者用識別子ＩＤ１の発行の依頼がなされる。患者用識別子発行部１２２は、当該依頼に応じて、患者用識別子ＩＤ１を発行する。
【００７８】
共有申告情報取得処理部１２３は、患者情報１１１に含まれる患者用識別子ＩＤ１により識別される患者について、申告情報収集装置２に蓄積される申告情報の少なくとも一部の情報（共有申告情報Ｄ３）を取得する。そして、共有申告情報取得処理部１２３は、取得した共有申告情報Ｄ３を個人情報Ｄ１に対応付けて蓄積する。本実施形態では、後述するとおり、共有申告情報取得処理部１２３は、申告情報収集装置２から送信される共有申告情報を受信することで、共有申告情報を取得する。そして、共有申告情報取得処理部１
２３は、取得した共有申告情報を個人情報に対応付けて記憶部１２に格納する。
【００７９】
共有医療情報送信処理部１２４は、医療情報Ｄ２の少なくとも一部の情報（共有医療情報）を後述する申告情報収集装置２が取得するために、共有医療情報を申告情報収集装置２に送信する。詳細は後述する。
【００８０】
情報提供部１２５は、例えば、医療提供側端末４からの情報提供の要求に応じて、当該情報提供要求に係る患者の患者情報１１１を医療提供側端末４に送信することで、医療情報Ｄ２を提供する。なお、情報提供部１２５は、医療従事者を識別するための医療従事者用識別子に基づいて、情報提供の要求に係る医療従事者が従事する医療提供施設を特定してもよい。そして、情報提供部１２５は、特定した医療提供施設以外の医療提供施設で作成された部分を取り除いた上で、医療情報Ｄ２を提供してもよい。詳細は後述する。
【００８１】
なお、医療情報取得処理部１２１は、本発明の「医療情報を取得する手段」に相当する。記憶部１１は、本発明の「医療情報を蓄積する手段」、及び「申告情報の少なくとも一部の情報を蓄積する手段」に相当する。患者用識別子発行部１２２は、本発明の「患者用識別子を発行する手段」に相当する。共有申告情報取得処理部１２３は、「申告情報の少なくとも一部の情報を取得する手段」に相当する。情報提供部１２５は、本発明の「医療従事者が従事する医療提供施設を特定する手段」、及び、「医療情報を提供する手段」に相当する。
【００８２】
本実施形態に係る医療情報収集装置１は、これらの構成を備える装置である。医療情報収集装置１は、例えば、１又は複数台のサーバによって実現される。
【００８３】
＜申告情報収集装置＞
図３は、本実施形態に係る申告情報収集装置２の構成例を示す。申告情報収集装置２は、図３に示されるとおり、そのハードウェア構成として、バス２３に接続される、記憶部２１、制御部２２、及び、入出力部２４等を有している。
【００８４】
記憶部２１は、制御部２２で実行される処理で利用される各種データ及びプログラムを記憶する（不図示）。記憶部２１は、例えば、ハードディスク、フラッシュメモリ等の記憶装置によって実現される。
【００８５】
また、記憶部２１は、登録情報２１１を格納する。登録情報２１１は、申告情報収集装置２に蓄積される、患者に関する情報である。登録情報２１１は、患者毎に１件１件の情報として、例えば、１レコードの情報として記憶部２１に格納される。図３に示されるとおり、登録情報２１１には、患者属性Ｄ４、患者用識別子ＩＤ１、私用識別子ＩＤ２、申告情報Ｄ５、及び、共有医療情報Ｄ６が含まれる。
【００８６】
患者属性Ｄ４は、統計処理に用いることができ、かつ、患者を一意に特定することができない患者の属性を示す。つまり、患者属性Ｄ４は、患者に係る属性のうち、当該属性に該当する母集団の人数が１を超える属性を指す。例えば、患者属性Ｄ４は、患者の年齢、性別、居住地に係る電話番号の市外局番、居住地の郵便番号、勤務地に係る電話番号の市外局番、又は、居住地の郵便番号等である。なお、患者属性Ｄ４は、患者を一意に特定することができなければ、これらの属性の組合せでもよい。
【００８７】
患者用識別子ＩＤ１は、上記＜医療情報収集装置＞において記載したとおりである。そのため、説明を省略する。
【００８８】
私用識別子ＩＤ２は、患者を識別するために、申告情報収集装置２によって発行された
識別子である。私用識別子ＩＤ２は、例えば、英数字の文字列で表現される。私用識別子ＩＤ２は、例えば、患者用識別子が発行されていない患者が、申告情報を申告情報収集装置に蓄積するために用いる。私用識別子ＩＤ２は、後述する私用識別子発行部２２６により発行される。
【００８９】
申告情報Ｄ５は、患者が申告する服薬又は症状に関連する情報である。申告情報Ｄ５は、例えば、発現している症状、服薬状況、又は、服薬している薬剤に関する情報等である。また、服薬している薬剤に関する情報とは、例えば、当該薬剤の名前、当該薬剤に係る処方箋若しくは説明書の記載内容（画像でもよい）、当該薬剤の画像、当該薬剤の購入元（例えば、薬局）の名前、当該薬剤を製造している製薬会社の名前、又は、当該薬剤に係る処方箋を処方した医療機関の名前等である。なお、申告情報Ｄ５は、申告情報収集装置２に接続される入力装置により入力されることで取得されてもよい。また、申告情報Ｄ５は、申告情報収集装置２に接続可能なＵＳＢメモリ等の記憶媒体から取得されてもよい。
【００９０】
共有医療情報Ｄ６は、後述する共有医療情報取得処理部２２３によって取得される、医療情報収集装置１に蓄積される医療情報Ｄ２の少なくとも一部の情報である。共有医療情報Ｄ６は、医療情報収集装置１に蓄積される医療情報Ｄ２そのものであってもよい。また、共有医療情報Ｄ６は、医療情報収集装置１に蓄積される医療情報Ｄ２から申告情報収集装置２に蓄積される申告情報Ｄ５に含まれる情報を取り除いた差分情報であってもよい。ただし、本実施形態では、共有医療情報Ｄ６には、個人を一意に特定することができる個人情報は含まれない。つまり、共有医療情報Ｄ６は、医療情報Ｄ２から個人情報が取り除かれた上で、作成される。なお、本実施形態では、医療情報Ｄ２には、個人情報が含まれてもよいし、含まれなくてもよい。
【００９１】
なお、本実施形態では、患者属性Ｄ４、患者用識別子ＩＤ１、私用識別子ＩＤ２、申告情報Ｄ５、及び、共有医療情報Ｄ６が１件の登録情報２１１に含まれることで、患者属性Ｄ４、私用識別子ＩＤ２、申告情報Ｄ５、及び、共有医療情報Ｄ６は、患者用識別子ＩＤ１に対応付けられている。ただし、当該対応付けは、このような形式に限定されるものではない。例えば、対応付けの関係を示すテーブルを記憶部２１が保持することにより、当該対応付けが表現されてもよい。
【００９２】
制御部２２は、マイクロプロセッサ又はＣＰＵ等の１又は複数のプロセッサと、このプロセッサの処理に利用される周辺回路（ＲＯＭ、ＲＡＭ、インタフェース回路等）と、を有する。制御部２２は、記憶部２１に格納されている各種データ及びプログラムを実行することにより、本実施形態における申告情報収集装置２の処理を実現する。なお、ＲＯＭ、ＲＡＭ等は、制御部２２内のプロセッサが取り扱うアドレス空間に配置されているという意味で主記憶装置と呼ばれてもよい。
【００９３】
入出力部２４は、申告情報収集装置２の外部に存在する装置とデータの送受信を行うための１又は複数のインタフェースである。入出力部２４は、上述した、入出力部１４と同様である。そのため、入出力部２４についての説明を省略する。
【００９４】
本実施形態に係る申告情報収集装置２の処理は、制御部２２の処理として実現される。図３に示されるとおり、制御部２２は、患者用識別子登録処理部２２１、申告情報取得処理部２２２、共有医療情報取得処理部２２３、共有申告情報送信処理部２２４、情報提供部２２５、及び、私用識別子発行部２２６を含む。患者用識別子登録処理部２２１、申告情報取得処理部２２２、共有医療情報取得処理部２２３、共有申告情報送信処理部２２４、情報提供部２２５、及び、私用識別子発行部２２６は、例えば、記憶部２１に格納されたプログラム等が制御部２２の周辺回路であるＲＡＭ等に展開され、制御部２２のプロセッサにより実行されることによって実現される。
【００９５】
患者用識別子登録処理部２２１は、医療情報収集装置１において発行された患者用識別子ＩＤ１を、患者属性Ｄ４に対応付けて登録する。本実施形態では、患者側端末３から、患者用識別子ＩＤ１の登録の依頼がなされる。患者用識別子登録処理部２２１は、当該依頼に応じて、患者用識別子ＩＤ１の登録を行う。また、患者用識別子登録処理部２２１は、同一の患者に対して発行された患者用識別子と私用識別子とを対応付ける。本実施形態では、患者用識別子登録処理部２２１は、患者用識別子ＩＤ１と私用識別子ＩＤ２とを１件の登録情報２１１に含めることで、同一の患者に対して発行された患者用識別子ＩＤ１と私用識別子ＩＤ２とを対応付ける。
【００９６】
申告情報取得処理部２２２は、申告情報を取得し、取得した申告情報に係る患者の登録した患者用識別子に対応付けて、受信した申告情報を蓄積する。本実施形態では、申告情報取得処理部２２２は、患者側端末３から送信される申告情報Ｄ５を受信することで、申告情報Ｄ５を取得する。そして、申告情報取得処理部２２２は、取得した申告情報Ｄ５を患者用識別子ＩＤ１に対応付けて記憶部２２に格納する。
【００９７】
共有医療情報取得処理部２２３は、登録情報２１１に含まれる患者用識別子ＩＤ１により識別される患者について、医療情報収集装置１に蓄積される医療情報の少なくとも一部の情報（共有医療情報Ｄ６）を取得する。そして、共有医療情報取得処理部２２３は、取得した共有医療情報Ｄ６を患者用識別子ＩＤ１に対応付けて蓄積する。本実施形態では、後述するとおり、共有医療情報取得処理部２２３は、医療情報収集情報装置１から送信される共有医療情報Ｄ６を受信することで、共有医療情報Ｄ６を取得する。そして、共有医療情報取得処理部２２３は、取得した共有医療情報Ｄ６を患者用識別子ＩＤ１に対応付けて記憶部１２に格納する。
【００９８】
共有申告情報送信処理部２２４は、申告情報Ｄ５の少なくとも一部の情報（共有申告情報Ｄ３）を医療情報収集装置１が取得するために、共有申告情報Ｄ３を医療情報収集装置１に送信する。詳細は後述する。
【００９９】
情報提供部２２５は、例えば、患者側端末３からの情報提供の要求に応じて、当該情報提供要求に係る患者の登録情報２１１を患者側端末３に送信することで、申告情報Ｄ５を提供する。詳細は後述する。
【０１００】
私用識別子発行部２２６は、私用識別子を発行する。本実施形態では、患者側端末３からの依頼に応じて、私用識別子発行部２２６は、私用識別子ＩＤ２を発行する。
【０１０１】
なお、患者用識別子登録処理部２２１は、本発明の「患者用識別子を登録する手段」及び「患者用識別子と私用識別子とを対応付ける手段」に相当する。申告情報取得処理部２２２は、本発明の「申告情報を取得する手段」に相当する。共有医療情報取得処理部２２３は、本発明の「医療情報の少なくとも一部の情報を取得する手段」に相当する。私用識別子発行部２２６は、本発明の「私用識別子を発行する手段」に相当する。また、記憶部２１は、本発明の「申告情報を蓄積する手段」及び「医療情報の少なくとも一部の情報を蓄積する手段」に相当する。
【０１０２】
本実施形態に係る申告情報収集装置２は、これらの構成を備える装置である。申告情報収集装置２は、例えば、１又は複数台のサーバによって実現される。
【０１０３】
＜患者側端末＞
図４は、本実施形態に係る患者側端末３の構成例を示す。患者側端末３は、図４に示されるとおり、そのハードウェア構成として、バス３３に接続される、記憶部３１、制御部
３２、及び、入出力部３４等を有している。
【０１０４】
記憶部３１は、制御部３２で実行される処理で利用される各種データ及びプログラムを記憶する（不図示）。記憶部３１は、例えば、ハードディスク、フラッシュメモリ等の記憶装置によって実現される。
【０１０５】
制御部３２は、マイクロプロセッサ又はＣＰＵ等の１又は複数のプロセッサと、このプロセッサの処理に利用される周辺回路（ＲＯＭ、ＲＡＭ、インタフェース回路等）と、を有する。制御部３２は、記憶部３１に格納されている各種データ及びプログラムを実行することにより、本実施形態における患者側端末の処理を実現する。なお、ＲＯＭ、ＲＡＭ等は、制御部３２内のプロセッサが取り扱うアドレス空間に配置されているという意味で主記憶装置と呼ばれてもよい。
【０１０６】
入出力部３４は、患者側端末３の外部に存在する装置とデータの送受信を行うための１又は複数のインタフェースである。入出力部３４は、上述した、入出力部１４と同様である。そのため、入出力部３４についての説明を省略する。
【０１０７】
本実施形態に係る患者側端末３の処理は、制御部３２の処理として実現される。図４に示されるとおり、制御部３２は、発行依頼部３２１、登録依頼部３２２、及び、申告情報処理部３２３を含む。発行依頼部３２１、登録依頼部３２２、及び、申告情報処理部３２３は、例えば、記憶部３１に格納されたプログラム等が制御部３２の周辺回路であるＲＡＭ等に展開され、制御部３２のプロセッサにより実行されることによって実現される。
【０１０８】
発行依頼部３２１は、申告情報収集装置２において患者を識別するために用いられる患者用識別子ＩＤ１の発行を医療情報収集装置１に依頼する。登録依頼部３２２は、医療情報収集装置１により発行される患者用識別子ＩＤ１の登録を申告情報収集装置２に依頼する。また、申告情報処理部３２３は、申告情報Ｄ５の入力を受け付ける。そして、申告情報処理部３２３は、申告情報収集装置２において、医療情報収集装置１により発行される患者用識別子ＩＤ１と対応付けられる、当該入力に係る申告情報Ｄ５を申告情報収集装置２に送信する。
【０１０９】
なお、発行依頼部３２１は、本発明の「患者用識別子の発行を依頼する手段」に相当する。登録依頼部３２２は、本発明の「患者用識別子の登録を依頼する手段」に相当する。また、申告情報処理部３２３は、本発明の「申告情報の入力を受け付ける手段」及び「申告情報を送信する手段」に相当する。
【０１１０】
本実施形態に係る患者側端末３は、これらの構成を備える装置である。患者側端末３は、例えば、スマートフォン等の携帯端末、ＰＣ（Personal Computer）等の汎用コンピュ
ータである。
【０１１１】
＜医療提供側端末＞
図５は、本実施形態に係る医療提供側端末４の構成例を示す。医療提供側端末４は、図５に示されるとおり、そのハードウェア構成として、バス４３に接続される、記憶部４１、制御部４２、及び、入出力部４４等を有している。
【０１１２】
記憶部４１は、制御部４２で実行される処理で利用される各種データ及びプログラムを記憶する（不図示）。記憶部４１は、例えば、ハードディスク、フラッシュメモリ等の記憶装置によって実現される。
【０１１３】
なお、本実施形態に係る記憶部４１には、医療従事者用識別子ＩＤ３が格納される。医
療従事者用識別子ＩＤ３は、医療従事者を識別するために用いられる識別子である。詳細は後述する。
【０１１４】
制御部４２は、マイクロプロセッサ又はＣＰＵ等の１又は複数のプロセッサと、このプロセッサの処理に利用される周辺回路（ＲＯＭ、ＲＡＭ、インタフェース回路等）と、を有する。制御部４２は、記憶部４１に格納されている各種データ及びプログラムを実行することにより、本実施形態における医療提供側端末４の処理を実現する。なお、ＲＯＭ、ＲＡＭ等は、制御部４２内のプロセッサが取り扱うアドレス空間に配置されているという意味で主記憶装置と呼ばれてもよい。
【０１１５】
入出力部４４は、医療提供側端末４の外部に存在する装置とデータの送受信を行うための１又は複数のインタフェースである。入出力部４４は、上述した、入出力部１４と同様である。そのため、入出力部４４についての説明を省略する。
【０１１６】
本実施形態に係る医療提供側端末４の処理は、制御部４２の処理として実現される。図５に示される通り、制御部４２は、医療情報処理部４２１を含む。医療情報処理部４２１は、例えば、記憶部４１に格納されたプログラム等が制御部４２の周辺回路であるＲＡＭ等に展開され、制御部４２のプロセッサにより実行されることによって実現される。
【０１１７】
医療情報処理部４２１は、医療情報Ｄ２の入力を受け付ける。そして、医療情報処理部４２１は、当該入力に係る医療情報Ｄ２を医療情報収集装置１に送信する。
【０１１８】
なお、医療情報処理部４２１は、本発明の「医療情報の入力を受け付ける手段」及び「入力に係る医療情報を医療情報収集装置に送信する手段」に相当する。
【０１１９】
本実施形態に係る医療提供側端末４は、これらの構成を備える装置である。医療提供側端末４は、例えば、ＰＣ等の汎用コンピュータである。
【０１２０】
§３  動作例
次に、図６〜８を用いて、本実施形態に係る情報処理システム５の動作例を説明する。なお、図６〜８では、ステップを「Ｓ」と略称する。なお、以下において、医療情報収集装置１の制御部１２、申告情報収集装置２の制御部２２、患者側端末３の制御部３２、及び、医療提供側端末４の制御部４２において実現される上記各機能による処理を説明する場合、各機能ブロックを処理の主体として説明する。
【０１２１】
＜医療情報の蓄積に関する処理例＞
図６は、本実施形態に係る情報処理システム５における医療情報Ｄ２の蓄積に関する処理手順の一例を示したフローチャートである。
【０１２２】
（ステップ１００１）
ステップ１００１では、医療提供端末４において、医療情報Ｄ２が取得される。本実施形態では、医療提供側端末４の医療情報処理部４２１が、例えば、医療従事者による入力装置を介した入力を受け付ける。そして、医療情報処理部４２１は、受け付けた入力に基づいて、医療情報Ｄ２を取得する。医療情報Ｄ２が取得されると、処理は、次のステップ１００２に進む。
【０１２３】
医療情報Ｄ２の取得は、適当な方法で行われる。例えば、医療提供側端末４上で実行される電子カルテ作成用アプリケーション等のプログラムによって、電子カルテのフォーマットが与えられる場合がある。このような場合、医師は、医療提供側端末４に接続される入力装置を操作することで、電子カルテ（医療情報Ｄ２）を作成することができる。医療
情報処理部４２１は、このように電子カルテ（医療情報Ｄ２）が作成されることで、医療情報Ｄ２を取得してもよい。また、例えば、医療情報処理部４２１は、医療提供側端末４に接続されるスキャナによりカルテ（紙）を読み込むことで得られる画像データを医療情報Ｄ２として取得してもよい。医療情報Ｄ２の取得方法は、本発明を限定するものではない。
【０１２４】
なお、医療情報Ｄ２には、当該医療情報Ｄ２が作成された時刻を示すためのタイムスタンプが含まれてもよい。
【０１２５】
（ステップ１００２）
ステップ１００２では、医療情報Ｄ２が、医療情報収集装置１に送信される。本実施形態では、医療情報処理部４２１が、ステップ１００１において取得した医療情報Ｄ２を医療情報収集装置１に送信する。当該送信処理後、処理は、次のステップ１００３に進む。
【０１２６】
なお、医療情報処理部４２１は、有線若しくは無線のネットワーク、又は、それらの混合のネットワークを介して、医療情報Ｄ２を医療情報収集装置１に送信する。医療提供側端末４と医療情報収集装置１との間のネットワークは、医療情報Ｄ２の性質及び医療情報収集装置１の設置場所などの状況に応じて、適宜選択されてよい。例えば、医療提供側端末４と医療情報収集装置１とが同一の医療提供施設に設置されている場合、医療提供側端末４と医療情報収集装置１との間のネットワークとして、イントラネットが採用されてもよい。
【０１２７】
（ステップ１００３）
ステップ１００３では、医療情報収集装置１において、医療情報Ｄ２が取得される。本実施形態では、医療情報取得処理部１２１は、医療提供側端末４から送信される医療情報Ｄ２を受信することで、医療情報Ｄ２を取得する。医療情報Ｄ２が取得されると、処理は、次のステップ１００４に進む。
【０１２８】
なお、医療情報取得処理部１２１は、医療情報収集装置１に接続される入力装置を介した入力に基づいて、医療情報Ｄ２を取得してもよい。また、医療情報取得処理部１２１は、医療情報収集装置１に接続可能なＵＳＢメモリ等の記憶媒体から医療情報Ｄ２を取得してもよい。
【０１２９】
（ステップ１００４）
ステップ１００４では、医療情報収集装置１において、取得された医療情報Ｄ２が、個人情報Ｄ１に対応付けられて蓄積される。本実施形態では、医療情報取得処理部１２１が、ステップ１００３で取得された医療情報Ｄ２を、個人情報Ｄ１に対応付けて記憶部１２に格納する。医療情報Ｄ２が記憶部１２に格納されると、処理は、次のステップ１００５に進む。
【０１３０】
なお、本実施形態では、個人情報Ｄ１と医療情報Ｄ２とが１件の患者情報１１１に含まれることで、個人情報Ｄ１と医療情報Ｄ２との対応付けが表現されている。よって、医療情報取得処理部１２１は、ステップ１００３で取得した医療情報Ｄ２に係る患者の患者情報１１１を特定することで、医療情報Ｄ２を追加すべき患者情報１１１を特定する。
【０１３１】
医療情報Ｄ２を追加すべき患者情報１１１の特定は、適当な方法で行われる。例えば、ステップ１００１において、当該医療情報Ｄ２に係る患者の個人情報の入力が受け付けられていてもよい。そして、ステップ１００２において、医療情報処理部４２１は、は、当該入力に係る個人情報を医療情報Ｄ２とともに医療情報収集装置１に送信してもよい。また、ステップ１００３において、医療情報取得処理部１２１は、医療情報Ｄ２とともに当
該入力に係る個人情報を取得してもよい。さらに、医療情報取得処理部１２１は、取得した個人情報と一致する個人情報Ｄ１を含む患者情報１１１を記憶部１１から検索することで、医療情報Ｄ２と追加すべき患者情報１１１を特定してもよい。
【０１３２】
検索の結果、取得した個人情報と一致する個人情報Ｄ１を含む患者情報１１１が発見された場合、医療情報取得処理部１２１は、発見した当該患者情報１１１に医療情報Ｄ２を追加する。
【０１３３】
また、検索の結果、取得した個人情報と一致する個人情報Ｄ１を含む患者情報１１１が発見されなかった場合、医療情報取得処理部１２１は、取得した医療情報Ｄ２を追加すべき患者情報１１１が記憶部１２に存在しないと判定する。
【０１３４】
取得した医療情報Ｄ２を追加すべき患者情報１１１が記憶部１２に存在しない場合、例えば、医療情報取得処理部１２１は、受信した個人情報Ｄ１を含む新たなレコード（患者情報１１１）を作成することで、作成した患者情報１１１に取得した医療情報Ｄ２を追加してもよい。また、例えば、医療情報取得処理部１２１は、医療情報Ｄ２を追加すべき患者情報１１１が存在しないことを知らせるメッセージの通知を医療提供側端末４に対して行ってもよい。そして、医療情報取得処理部１２１は、取得した医療情報Ｄ２に係る患者についての患者情報１１１を作成することを、医療提供側端末４の操作者（例えば、医師や薬剤師等の医療従事者）に促してもよい。このようなレコードの追加処理は、適当な方法で行われる。
【０１３５】
なお、個人情報Ｄ１と医療情報Ｄ２との対応付けに係る処理は、個人情報Ｄ１と医療情報Ｄ２との対応付けに係る表現方法によって、異なる。よって、対応付けに係る処理は、個人情報Ｄ１と医療情報Ｄ２との対応付けに係る表現方法に応じて、適当に実行される。このことは、以下の各情報の対応付けにおいても同様である。
【０１３６】
なお、複数の医療提供施設において医療情報Ｄ２が作成される場合がある。この場合に、例えば、保険証の保険者番号等、当該患者を特定するために、当該複数の医療提供施設において共通に用いられる情報が個人情報Ｄ１として用いられてもよい。
【０１３７】
このとき、医療情報取得処理部１２１は、複数の医療提供施設に設置された医療提供側端末４から送信される同一の患者に係る医療情報Ｄ２を同一の個人情報Ｄ１で特定することが可能となる。そのため、医療情報取得処理部１２１は、１件の患者情報１１１に、複数の医療提供施設において同一の患者について作成された医療情報Ｄ２を含めることができる。これにより、医療情報収集装置１では、異なる医療施設において作成される同一の患者についての複数件の医療情報を１件の医療情報として統合的に管理することが可能となる。
【０１３８】
（ステップ１００５）
ステップ１００５では、医療情報Ｄ２に対応付けられた患者用識別子ＩＤ１が既に申告情報収集装置２に登録されているか否かが判定される。本実施形態では、共有医療情報送信処理部１２４は、共有医療情報Ｄ６を申告情報収集装置２に送信するために、ステップ１００３において取得された医療情報Ｄ２に対応付けられた患者用識別子ＩＤ１が既に申告情報収集装置２に登録されているか否かを判定する。医療情報Ｄ２に対応付けられた患者用識別子ＩＤ１が既に申告情報収集装置２に登録されている場合、処理は、次のステップ１００６に進む。医療情報Ｄ２に対応付けられた患者用識別子ＩＤ１が申告情報収集装置２に登録されていない場合、処理は終了する。この場合、当該患者用識別子ＩＤ１について、共有医療情報送信処理部１２４は、申告情報収集装置２に登録処理を要求してもよい。
【０１３９】
なお、共有医療情報送信処理部１２４は、ステップ１００３において取得された医療情報Ｄ２に限らず、記憶部１１に既に格納されている医療情報Ｄ２を当該判定の対象としてもよい。この場合に、記憶部１１に複数件の患者情報１１１が格納されているとき、各件の患者情報１１１に対して、当該判定が行われてもよい。この際、記憶部１１に格納されている複数件の患者情報１１１のうち、既に申告情報収集装置２に登録されている患者用識別子ＩＤ１を含む患者情報１１１について、処理は、次のステップ１００６に進む。他方、記憶部１１に格納されている複数件の患者情報１１１のうち、申告情報収集装置２に登録されていない患者用識別子ＩＤ１を含む患者情報１１１について、処理は、次のステップ１００６に進まず、終了する。当該処理が終了する場合、共有医療情報送信処理部１２４は、申告情報収集装置２に登録されていない患者用識別子ＩＤ１について、申告情報収集装置２に登録処理を要求してもよい。
【０１４０】
ここで、患者情報１１１に含まれる患者用識別子ＩＤ１が申告情報収集装置２に登録されているか否かの判定は、適切な方法で行われる。
【０１４１】
例えば、共有医療情報送信処理部１２４は、患者用識別子ＩＤ１を指定して、申告情報収集装置２に、当該指定した患者用識別子ＩＤ１が登録されているか否かを問い合わせてもよい。この場合、申告情報収集装置２は、例えば、記憶部２１に格納されている登録情報２１１から、指定された患者用識別子ＩＤ１を含む登録情報２１１を検索することで、指定された患者用識別子ＩＤ１が登録されているか否かを判定する。そして、当該判定に基づいて、申告情報収集装置２は、共有医療情報送信処理部１２４からの問い合わせに返信する。共有医療情報送信処理部１２４は、申告情報収集装置２からの当該問い合わせに対する返信に基づいて、患者用識別子ＩＤ１が申告情報収集装置２に登録されているか否かを判定する。
【０１４２】
また、例えば、申告情報収集装置２は、後述する患者用識別子ＩＤ１の登録処理の後、当該患者用識別子ＩＤ１を登録したことを医療情報収集装置１に通知してもよい。この場合、共有医療情報送信処理部１２４は、例えば、当該通知の有無により、患者用識別子ＩＤ１が申告情報収集装置２に登録されているか否かを判定する。
【０１４３】
また、例えば、患者情報１１１には、患者用識別子ＩＤ１が申告情報収集装置２に登録されているか否かを示す情報が含まれてもよい。この場合、共有医療情報送信処理部１２４は、当該情報を参照することで、当該判定を行う。なお、当該情報は、例えば、上記問い合わせ、又は、上記通知により更新されることで、患者用識別子ＩＤ１の登録状態が更新されてもよい。
【０１４４】
共有医療情報送信処理部１２４は、例えば、これらの方法により、患者情報１１１に含まれる患者用識別子ＩＤ１が申告情報収集装置２に登録されているか否かを判定する。
【０１４５】
（ステップ１００６）
ステップ１００６では、医療情報収集装置１から申告情報収集装置２に対して、共有医療情報Ｄ６が送信される。本実施形態では、共有医療情報送信処理部１２４によって、医療情報収集装置１から申告情報収集装置２に対して、申告情報収集装置２に登録されている患者用識別子ＩＤ１に対応付けられた医療情報Ｄ２についての共有医療情報Ｄ６に係る送信処理が実行される。当該送信処理が実行されると、処理は次のステップ１００７に進む。
【０１４６】
本実施形態では、共有医療情報送信処理部１２４は、ステップ１００３において取得した医療情報Ｄ２を対象に、共有医療情報Ｄ６の作成と送信とを実行する。
【０１４７】
共有医療情報Ｄ６は、個人情報が除かれた上で作成される、医療情報Ｄ２の少なくとも一部の情報である。また、医療情報Ｄ２は、医療従事者が患者に対して作成する情報であり、例えば、医師により作成されたカルテ情報、処方箋の情報、又は、薬剤師によりお薬手帳に記入される情報等である。
【０１４８】
ここで、例えば、医療情報Ｄ２に含まれる複数種類の情報について、共有医療情報Ｄ６に含めるべき情報が設定されている。この場合、例えば、医療情報Ｄ２に含まれるカルテ情報は共有医療情報Ｄ６に含めるべき情報であるというように、当該設定によって、医療情報Ｄ２に含まれる複数種類の情報のうち、共有医療情報Ｄ６に含めるべき情報が指定される。共有医療情報送信処理部１２４は、当該設定に従って、共有医療情報Ｄ６を作成する。なお、当該設定に係る情報は、患者情報１１１に含まれてもよいし、患者情報１１１とは別の情報として記憶部１１に格納されてもよい。
【０１４９】
また、例えば、１件１件の医療情報Ｄ２に含まれる複数種類の情報について、共有医療情報Ｄ６に含めるべき情報が選択されてもよい。当該選択は、例えば、医療情報収集装置１に接続される入力装置を操作することで行われてもよいし、医療情報収集装置１とネットワークを介して通信を行う医療提供側端末４に接続される入力装置を操作することで行われてもよい。
【０１５０】
なお、このような共有医療情報Ｄ６の作成は、申告情報収集装置２において実行されてもよい。この場合、共有医療情報送信処理部１２４は、ステップ１００３で取得された医療情報Ｄ２をそのまま申告情報収集装置２に送信する。そして、申告情報収集装置２は、受信した医療情報Ｄ２から上記のような共有医療情報Ｄ６を作成する。
【０１５１】
また、共有医療情報Ｄ６は、申告情報収集装置２に蓄積される申告情報Ｄ５に含まれる情報を医療情報Ｄ２から取り除いた差分情報であってもよい。この場合、共有医療情報送信処理部１２４又は申告情報収集装置２は、共通の患者用識別子ＩＤ１に対応付けられている医療情報Ｄ２と申告情報Ｄ５を比較することにより、当該共有医療情報Ｄ６を作成してもよい。
【０１５２】
なお、共有医療情報送信処理部１２４は、ステップ１００３において取得された医療情報Ｄ２に限らず、記憶部１１に既に格納されている医療情報Ｄ２を当該送信処理の対象としてもよい。
【０１５３】
（ステップ１００７）
ステップ１００７では、申告情報収集装置２の共有医療情報取得処理部２２３によって、申告情報収集装置２において共有医療情報Ｄ６が蓄積される。当該蓄積に係る処理が完了すると、本実施形態における医療情報Ｄ２に係る一連の処理が終了する。
【０１５４】
本実施形態では、共有医療情報取得処理部２２３は、医療情報収集装置１から送信される共有医療情報Ｄ６を受信し、受信した共有医療情報Ｄ６に係る患者の登録情報２１１を特定し、特定した登録情報２１１に受信した共有医療情報Ｄ６を追加する。これにより、共有医療情報取得処理部２２３は、申告情報収集装置２において共有医療情報Ｄ６を蓄積する。なお、共有医療情報Ｄ６を追加する登録情報２１１の特定には、患者用識別子ＩＤ１が用いてられる。
【０１５５】
例えば、ステップ１００６において、医療情報収集装置１の共有医療情報送信処理部１２４は、共有医療情報Ｄ６とともに、当該共有医療情報Ｄ６に係る患者の患者用識別子ＩＤ１を送信する。送信される患者用識別子ＩＤ１は、本実施形態では、ステップ１００４
において医療情報取得処理部１２１が医療情報Ｄ２を追加した患者情報１１１に含まれる患者用識別子ＩＤ１である。共有医療情報取得処理部２２３は、共有医療情報Ｄ６とともに受信した患者用識別子ＩＤ１に基づいて、当該共有医療情報Ｄ６を追加する登録情報２１１を特定する。なお、共有医療情報取得処理部２２３は、受信した共有医療情報Ｄ６に係る患者の患者用識別子ＩＤ１を医療情報収集装置１に問い合わせることで、当該共有医療情報Ｄ６を追加する登録情報２１１を特定するのに用いる患者用識別子ＩＤ１を取得してもよい。
【０１５６】
（その他）
これまでの処理により、医療情報収集装置１において医療情報Ｄ２が蓄積され、かつ、申告情報収集装置２において当該医療情報Ｄ２についての共有医療情報Ｄ６が蓄積される。ここで、ステップ１００５〜１００７の処理は、申告情報収集装置２が共有医療情報Ｄ６を取得するための処理である。本実施形態では、新しい医療情報Ｄ２が追加された時に、共有医療情報Ｄ６を取得するための処理が実行されている。しかしながら、共有医療情報Ｄ６を取得するための処理のタイミングは、このような場合に限られない。
【０１５７】
例えば、当該取得に係る処理は、定期的に実行されてもよい。この場合、例えば、ステップ１００５において、共有医療情報送信処理部１２４は、次のステップ１００６に係る送信処理を行っていない医療情報Ｄ２を特定してもよい。このとき、ステップ１００６では、特定した医療情報Ｄ２についてのみ共有医療情報Ｄ６に係る送信処理が実行される。また、ステップ１００７では、申告情報収集装置２において、特定した医療情報Ｄ２についてのみ共有医療情報Ｄ６が蓄積される。
【０１５８】
送信処理を行っていない医療情報Ｄ２の特定は、例えば、医療情報Ｄ２が記憶部１１に格納された時刻を示すタイムスタンプを用いて行われればよい。このとき、ステップ１００５において、共有医療情報送信処理部１２４は、前回にステップ１００６を実行した時刻と当該タイムスタンプにより示される時刻とに基づいて、ステップ１００６に係る送信処理を行っていない医療情報Ｄ２を特定する。
【０１５９】
また、例えば、申告情報収集装置２から医療情報収集装置１に対して、共有医療情報Ｄ６の送信が要求されることに応じて、ステップ１００５〜１００７の処理が実行されてもよい。この場合も、上記のケースと同様、ステップ１００５において、共有医療情報送信処理部１２４は、ステップ１００６に係る送信処理を行っていない医療情報Ｄ２を特定してもよい。
【０１６０】
また、本実施形態では、申告情報収集装置２は、医療情報収集装置１から共有医療情報Ｄ６を取得している。しかしながら、共有医療情報Ｄ６の取得先は、医療情報収集装置１に限定されない。例えば、申告情報収集装置２は、医療提供側端末４から共有医療情報Ｄ６を取得してもよい。
【０１６１】
この場合、例えば、医療提供側端末４が、ステップ１００２において、医療情報収集装置１だけではなく、申告情報収集装置２に対しても、ステップ１００１において取得した医療情報Ｄ２を送信する。この送信される医療情報Ｄ２から共有医療情報Ｄ６を作成することで、申告情報収集装置２は、医療提供側端末４から共有医療情報Ｄ６を取得する。なお、共有医療情報Ｄ６の作成は、医療提供側端末４で実行されてもよいし、申告情報収集装置２で実行されてもよい。
【０１６２】
ここで、申告情報収集装置２は、医療提供側端末４から取得される共有医療情報Ｄ６を追加する登録情報２１１を特定するために、患者用識別子ＩＤ１を用いる。医療提供側端末４が患者用識別子ＩＤ１を保持している場合、申告情報収集装置２は、共有医療情報Ｄ
６を追加する登録情報２１１を特定するために用いられる患者用識別子ＩＤ１を医療提供側端末４から取得してもよい。
【０１６３】
また、医療提供側端末４が患者用識別子ＩＤ１を保持していない場合、申告情報収集装置２は、共有医療情報Ｄ６を追加する登録情報２１１を特定するために用いられる患者用識別子ＩＤ１を医療情報収集装置１から取得してもよい。この場合、例えば、ステップ１００４において、医療提供側端末４から医療情報収集装置１に送信される医療情報Ｄ２を追加する患者情報１１１が特定される。この医療情報Ｄ２が追加される患者情報１１１に含まれている患者用識別子ＩＤ１は、ステップ１００１において取得された医療情報Ｄ２に係る患者の患者用識別子ＩＤ１である。よって、当該患者情報１１１に含まれている患者用識別子ＩＤ１が申告情報収集装置２に送信されることで、申告情報収集装置２は、共有医療情報Ｄ６を追加する登録情報２１１を特定するために用いられる患者用識別子ＩＤ１を取得してもよい。なお、医療情報収集装置１から送信される当該患者用識別子ＩＤ１は、医療提供側端末４を経由して、申告情報収集装置２に取得されてもよい。
【０１６４】
＜患者用識別子の発行及び登録に関する処理例＞
図７は、本実施形態に係る情報処理システム５における患者用識別子の発行及び登録に関する処理手順の一例を示したフローチャートである。
【０１６５】
（ステップ２００１）
ステップ２００１では、患者用識別子ＩＤ１の発行依頼がなされる。本実施形態では、患者側端末３の発行依頼部３２１によって、患者側端末３から医療情報収集装置１に対して、患者用識別子ＩＤ１の発行依頼がなされる。発行依頼部３２１によって当該発行依頼の処理が実行されると、処理は、次のステップ２００２に進む。
【０１６６】
本実施形態では、発行依頼部３２１は、例えば、患者側端末３の操作に基づいて、発行依頼の処理を実行する。発行依頼の処理として、発行依頼部３２１は、例えば、発行依頼を示すメッセージを医療情報収集装置１に通知することで、医療情報収集装置１に患者用識別子ＩＤ１の発行を依頼する。
【０１６７】
（ステップ２００２）
ステップ２００２では、発行依頼に係る患者が特定される。本実施形態では、医療情報収集装置１の患者用識別子発行部１２２が、患者用識別子ＩＤ１の発行依頼に係る患者を特定する。患者用識別子ＩＤ１の発行依頼に係る患者が特定されると、処理は、次のステップ２００３に進む。
【０１６８】
本実施形態では、患者用識別子発行部１２２は、患者用識別子ＩＤ１を発行する患者の患者情報１１１を特定することで、患者用識別子ＩＤ１の発行依頼に係る患者を特定する。患者用識別子ＩＤ１を発行する患者の患者情報１１１の特定は、例えば、個人情報を用いて行われる。患者用識別子発行部１２２は、患者用識別子ＩＤ１を発行する患者の患者情報１１１を特定するために用いる個人情報を、例えば、患者側端末３から取得する。
【０１６９】
この場合、例えば、ステップ２００１において、患者側端末３の発行依頼部３２１は、発行依頼を示すメッセージを通知するとともに、患者用識別子ＩＤ１を発行する患者の個人情報を医療情報収集装置１に送信する。当該個人情報は、例えば、患者側端末３に接続される入力装置により入力された情報である。発行依頼部３２１は、患者用識別子ＩＤ１の発行依頼を行う際に、当該個人情報の入力を受け付けることで、発行依頼に係る患者の個人情報を取得する。
【０１７０】
これにより、患者用識別子発行部１２２は、患者用識別子ＩＤ１を発行する患者の患者
情報１１１を特定するために用いる個人情報を取得する。そして、患者用識別子発行部１２２は、取得した個人情報と一致する個人情報Ｄ１を含む患者情報１１１を記憶部１１に格納される患者情報１１１から検索することで、患者用識別子ＩＤ１を発行する患者の患者情報１１１を特定する。
【０１７１】
取得した個人情報と一致する個人情報Ｄ１を含む患者情報１１１が記憶部１１に格納される患者情報１１１に存在する場合、患者用識別子ＩＤ１を発行する患者の患者情報１１１が特定される。
【０１７２】
一方、取得した個人情報と一致する個人情報Ｄ１を含む患者情報１１１が記憶部１１に格納される患者情報１１１に存在しない場合、患者用識別子発行部１２２は、患者用識別子ＩＤ１を発行する患者の患者情報１１１を特定することができない。この場合、患者用識別子発行部１２２は、患者用識別子ＩＤ１を発行する患者の患者情報１１１が存在しない旨を示すメッセージを患者側端末３に通知してもよい。また、患者用識別子発行部１２２は、患者側端末３から取得した個人情報を個人情報Ｄ１として含む新たなレコード（患者情報１１１）を作成し、作成した患者情報１１１をもって、患者用識別子ＩＤ１を発行する患者の患者情報１１１を特定してもよい。
【０１７３】
（ステップ２００３）
ステップ２００３では、患者用識別子ＩＤ１が発行される。本実施形態では、患者用識別子発行部１２２が、申告情報収集装置２において患者を識別するために用いられる患者用識別子ＩＤ１を、当該患者の個人情報Ｄ１に対応付けて発行する。患者用識別子ＩＤ１が発行されると、処理は、次のステップ２００４に進む。
【０１７４】
本実施形態では、患者用識別子ＩＤ１と個人情報Ｄ１とが１件の患者情報１１１に含まれることで、患者用識別子ＩＤ１と個人情報Ｄ１とが対応付けられる。よって、患者用識別子発行部１２２は、ステップ２００２で特定した患者情報１１１に、発行した患者用識別子ＩＤ１を追加することで、発行した患者用識別子ＩＤ１と個人情報Ｄ１との対応付けを行う。
【０１７５】
なお、患者用識別子ＩＤ１の発行は適当な方法で行われる。例えば、患者用識別子ＩＤ１は、英数字の文字列である。患者用識別子発行部１２２は、記憶部１１に格納される患者情報１１１に含まれる患者用識別子ＩＤ１に用いられていない英数字の文字列をランダムに作成することで、患者用識別子ＩＤ１を発行してもよい。
【０１７６】
また、例えば、患者用識別子発行部１２２は、記憶部１１に格納される患者情報１１１に含まれる患者用識別子ＩＤ１に用いられていない英数字の文字列を所定の規則に従って作成してもよい。
【０１７７】
また、例えば、患者用識別子発行部１２２は、個人情報Ｄ１を用いて、患者用識別子ＩＤ１を作成することで、患者用識別子ＩＤ１を発行してもよい。
【０１７８】
個人情報Ｄ１は、例えば、保険証の保険者コードである。患者用識別子発行部１２２は、作成する文字列の少なくとも一部に、保険証の保険者コードの少なくとも一部のコードを用いて、患者用識別子ＩＤ１を作成してもよい。また、患者用識別子発行部１２２は、保険証の保険者コードの少なくとも一部のコードを所定の変換をすることで作成される文字列を作成することで、患者用識別子ＩＤ１を作成してもよい。
【０１７９】
また、個人情報Ｄ１は、例えば、住所、氏名、及び、年齢の組である。患者用識別子発行部１２２は、作成する文字列の少なくとも一部に、住所、氏名、及び、年齢に含まれる
文字及び数字の少なくとも一部を用いて、患者用識別子ＩＤ１を作成してもよい。
【０１８０】
患者用識別子発行部１２２は、これらの方法により作成した患者用識別子ＩＤ１を、ステップ２００２において特定した患者情報１１１に追加することで、発行依頼に係る患者の患者用識別子ＩＤ１を、当該患者の個人情報Ｄ１に対応付けて発行する。
【０１８１】
なお、本実施形態では、発行依頼に係る患者の患者用識別子ＩＤ１は、発行依頼された時点で初めて作成される。しかしながら、患者用識別子ＩＤ１の発行される時点は、当該時点に限定されない。発行依頼に係る患者の患者情報１１１が作成された時点から当該発行依頼までの間の任意の時点において、患者用識別子ＩＤ１が発行されればよい。すなわち、患者用端末３からの発行依頼に応じて、患者用識別子ＩＤ１の作成が完了すればよい。
【０１８２】
（ステップ２００４）
ステップ２００４では、患者用識別子発行部１２２によって、医療情報収集装置１から患者側端末３に、発行された患者用識別子ＩＤ１が送信される。患者用識別子発行部１２２は、ステップ２００１において発行依頼がなされた患者用端末３に、ステップ２００３で発行した患者用識別子ＩＤ１を送信する。当該送信処理が完了すると、処理は、次のステップ２００５に進む。
【０１８３】
なお、患者用識別子ＩＤ１は、患者を識別するために、個人を一意に特定可能な個人情報Ｄ１の代わりに利用される情報である。すなわち、ステップ２００４及びステップ１００６では、それぞれの処理に係る患者に対応する個人情報Ｄ１は、患者側端末３及び申告情報収集装置２に対して秘匿される。これによって、本実施形態に係る情報処理システム５は、医療提供施設の外部の者から、医療提供施設において取得される患者の個人情報を秘匿する。
【０１８４】
（ステップ２００５）
ステップ２００５では、患者側端末３において、医療情報収集装置１から送信される患者用識別子ＩＤ１が受信される。例えば、患者側端末３は、受信した患者用識別子ＩＤ１を記憶部３１に格納する。当該受信が完了すると、処理は、次のステップ２００６に進む。
【０１８５】
（ステップ２００６）
ステップ２００６では、申告情報収集装置２において、患者用識別子ＩＤ１の登録依頼がなされる。本実施形態では、患者側端末３の登録依頼部３２２が、申告情報収集装置２に対して、ステップ２００５において受信した患者用識別子ＩＤ１の登録を依頼する。登録依頼部３２２によって当該登録依頼の処理が実行されると、処理は、次のステップ２００７に進む。
【０１８６】
本実施形態では、登録依頼部３２２は、例えば、医療情報収集装置１から患者用識別子ＩＤ１を受信したことに応じて、登録依頼の処理を実行する。また、例えば、登録依頼部３２２は、患者側端末３の操作に基づいて、登録依頼の処理を実行する。登録依頼の処理として、登録依頼部３２２は、例えば、登録依頼を示すメッセージを申告情報収集装置２に通知することで、申告情報収集装置２に患者用識別子ＩＤ１の登録を依頼する。
【０１８７】
なお、本実施形態では、登録依頼部３２２は、本登録依頼の通知に際して、医療情報収集装置１から受信した患者用識別子ＩＤ１を申告情報収集装置２に送信する。この送信により、申告情報収集装置２は、登録に係る患者用識別子ＩＤ１を取得する。しかしながら、申告情報収集装置２が登録に係る患者用識別子ＩＤ１を取得する取得先は、患者側端末
３に限定されない。例えば、後述するように、申告情報収集装置２は、医療情報収集装置１から患者用識別子ＩＤ１を取得してもよい。
【０１８８】
（ステップ２００７）
ステップ２００７では、申告情報装置２において、患者用識別子ＩＤ１の登録処理がなされる。本実施形態では、患者用識別子登録処理部２２１が、患者側端末３からの登録依頼に係る患者用識別子ＩＤ１を、患者属性Ｄ４に対応付けて、記憶部２２に格納する。当該登録処理が完了すると、処理は、次のステップ２００８に進む。
【０１８９】
本実施形態では、患者用識別子ＩＤ１と患者属性Ｄ４とが１件の登録情報２１１に含まれることで、患者用識別子ＩＤ１と患者属性Ｄ４とが対応付けられる。よって、患者用識別子登録処理部２２１は、１件の登録情報２１１に、登録依頼に係る患者の患者用識別子ＩＤ１と患者属性Ｄ４とを追加することで、登録依頼に係る患者の患者用識別子ＩＤ１と当該患者の患者属性Ｄ４とを対応付ける。
【０１９０】
ここで、本実施形態では、登録情報２１１に係る患者は、患者用識別子ＩＤ１又は私用識別子ＩＤ２によって識別される。すなわち、患者に対して当該登録情報２１１が作成された時点で、登録情報２１１には、患者用識別子ＩＤ１又は私用識別子ＩＤ２の少なくともいずれか一方が含まれている。このとき、登録情報２１１に患者用識別子ＩＤ１が含まれている場合、当該患者用識別子ＩＤ１に係る本ステップ２００７の登録処理は既に完了していることを意味する。
【０１９１】
よって、本ステップ２００７が実行される時点において、登録依頼に係る患者の患者用識別子ＩＤ１が申告情報収集装置２に登録されていないならば、当該登録依頼に係る患者の患者用識別子ＩＤ１を含む登録情報２１１は、記憶部２１に存在しない。この場合、当該登録依頼に係る患者の登録情報２１１が作成されていないケース、及び、当該登録依頼に係る患者の患者用識別子ＩＤ１は含まれていないが、私用識別子ＩＤ２が含まれている登録情報２１１が記憶部２１に存在するケースの２つのケースに分かれる。
【０１９２】
まず、当該登録依頼に係る患者の患者用識別子ＩＤ１は含まれていないが、私用識別子ＩＤ２が含まれている登録情報２１１が記憶部２１に存在するケースについて説明する。当該ケースでは、本ステップ２００７の処理が実行される前までに、私用識別子発行部２２６によって、私用識別子ＩＤ２が発行されている。例えば、患者側端末３からの依頼に応じて、私用識別子発行部２２６は、私用識別子ＩＤ２を発行し、発行した私用識別子ＩＤ２を含む新たなレコード（登録情報２１１）を作成する。これにより、本ステップ２００７の処理が実行される時点までに、当該登録依頼に係る患者の患者用識別子ＩＤ１は含まれていないが、私用識別子ＩＤ２が含まれている登録情報２１１が記憶部２１に存在する。
【０１９３】
この場合、例えば、ステップ２００６における患者側端末３からの登録依頼に際して、登録に係る患者の私用識別子ＩＤ２が指定される。患者用識別子登録処理部２２１は、当該指定に係る私用識別子ＩＤ２を含む登録情報２１１を、記憶部２１に格納されている登録情報２１１から検索する。そして、患者用識別子登録処理部２２１は、当該検索により発見される登録情報２１１に、患者側端末３から取得した患者用識別子ＩＤ１を追加する。また、当該登録情報２１１に患者属性Ｄ４が含まれていない場合、患者用識別子登録処理部２２１は、登録依頼に係る患者の患者属性Ｄ４を取得して、取得した患者属性Ｄ４を当該登録情報２１１に追加する。これにより、患者用識別子登録処理部２２１は、登録依頼に係る患者の患者用識別子ＩＤ１を、当該患者の患者属性Ｄ４に対応付けて登録する。
【０１９４】
なお、当該検索により、登録依頼に係る患者の登録情報２１１が発見できなかった場合
は、登録依頼に際して指定された私用識別子ＩＤ２が誤っているものと考えられるため、患者用識別子登録処理部２２１は、私用識別子ＩＤ２の指定が誤っている旨のメッセージを患者側端末３に通知する。
【０１９５】
次に、登録依頼に係る患者の登録情報２１１が作成されていないケースについて説明する。当該ケースでは、登録依頼に係る患者の登録情報２１１は、記憶部２１に存在しない。この場合、例えば、ステップ２００６における患者側端末３からの登録依頼に際して、登録依頼に係る患者の登録情報２１１の作成依頼がなされる（例えば、新規患者登録の通知）。患者用識別子登録処理部２２１は、当該作成依頼に応じて、患者側端末３から取得した患者用識別子ＩＤ１を含む新たなレコード（登録情報２１１）を作成する。また、患者用識別子登録処理部２２１は、登録依頼に係る患者の患者属性Ｄ４を取得して、取得した患者属性Ｄ４を当該登録情報２１１に追加する。これにより、患者用識別子登録処理部２２１は、登録依頼に係る患者の患者用識別子ＩＤ１を、当該患者の患者属性Ｄ４に対応付けて登録する。
【０１９６】
なお、患者属性Ｄ４は、適当な方法で取得される。例えば、患者用識別子登録処理部２２１は、患者側端末３から患者属性Ｄ４を取得する。この場合、例えば、ステップ２００６における患者側端末３からの登録依頼に際して、患者側端末３から申告情報収集装置２に、登録依頼に係る患者の患者属性Ｄ４が送信される。当該患者属性Ｄ４は、例えば、患者側端末３に接続される入力装置により入力された情報である。患者側端末３の登録依頼部３２２は、患者用識別子ＩＤ１の登録依頼を行う際に、当該患者属性Ｄ４の入力を受け付けることで、登録依頼に係る患者の患者属性Ｄ４を取得する。
【０１９７】
また、例えば、患者用識別子登録処理部２２１は、医療情報収集装置１から患者属性Ｄ４を取得する。この場合、例えば、患者用識別子登録処理部２２１は、当陸依頼に係る患者用識別子ＩＤ１を指定して、医療情報収集装置１に患者属性Ｄ４の取得を要求する。医療情報収集装置１は、当該要求に応じて、記憶部１１に格納される患者情報１１１のうち、指定された患者用識別子ＩＤ１を含む患者情報１１１を検索する。当該検索の結果、医療情報収集装置１は、発見される患者情報１１１に含まれる個人情報Ｄ１から患者属性Ｄ４を作成する。
【０１９８】
患者属性Ｄ４は、例えば、患者の年齢、性別、居住地に係る電話番号の市外局番、居住地の郵便番号、勤務地に係る電話番号の市外局番、又は、居住地の郵便番号等である。また、個人情報Ｄ１は、例えば、患者の年齢、住所、及び、氏名等の組合せである。よって、医療情報収集装置１は、例えば、個人情報Ｄ１に含まれる情報からいくつかの情報を削除することにより、患者属性Ｄ４を作成する。
【０１９９】
そして、医療情報収集装置１は、作成した患者属性Ｄ４を申告情報収集装置２に送信する。当該送信される患者属性Ｄ４を受信することで、患者用識別子登録処理部２２１は、登録依頼に係る患者の患者用識別子ＩＤ１に対応付ける患者属性Ｄ４を取得する。
【０２００】
なお、医療情報収集装置１において患者属性Ｄ４の取得に係る患者情報１１１が発見できない場合、登録依頼に係る患者用識別子ＩＤ１が誤っているものと考えられるため、例えば、医療情報収集装置１は、申告情報収集装置２に対して、患者用識別子ＩＤ１が誤っている旨のメッセージを通知する。そして、申告情報収集装置２の患者用識別子登録処理部２２１は、当該通知を患者側端末３に転送する。
【０２０１】
例えば、これらの方法によって、患者属性Ｄ４が取得される。なお、患者属性Ｄ４は、取得された時刻によって変わりうる。そのため、登録情報２１１には、患者属性Ｄ４が取得された時刻を示すタイムスタンプが含まれてもよい。
【０２０２】
なお、本実施形態では、当該登録依頼に係る患者の私用識別子ＩＤ２が存在する場合、患者用識別子ＩＤ１の登録に際して、登録に係る患者用識別子ＩＤ１と私用識別子ＩＤ２との対応付けが行われる。上記、当該登録依頼に係る患者の患者用識別子ＩＤ１は含まれていないが、私用識別子ＩＤ２が含まれている登録情報２１１が記憶部２１に存在するケースでは、患者用識別子登録処理部２２１によって、私用識別子ＩＤ２が含まれている登録情報２１１に登録に係る患者用識別子ＩＤ１が追加された。これにより、患者用識別子ＩＤ１と私用識別子ＩＤ２とが１件の登録情報２１１に含まれることになり、登録に係る患者用識別子ＩＤ１と私用識別子ＩＤ２とが対応付けられる。
【０２０３】
また、上記、患者用識別子登録処理部２２１は、同一の患者に係る複数件の登録情報２１１を１件の登録情報２１１に統合することで、登録に係る患者用識別子ＩＤ１と私用識別子ＩＤ２とを対応付けてもよい。本実施形態では、患者用識別子ＩＤ１を含む登録情報２１１と、私用識別子ＩＤ２を含む登録情報２１１とが別々に作成される場合がある。この場合、患者用識別子登録処理部２２１は、患者側端末３から、統合に係る患者用識別子ＩＤ１及び私用識別子ＩＤ２の指定されることで、別々に作成された登録情報２１１を１件の登録情報２１１に統合してもよい。これにより、患者用識別子ＩＤ１と私用識別子ＩＤ２とが１件の登録情報２１１に含まれることになり、患者用識別子ＩＤ１と私用識別子ＩＤ２とが対応付けられる。
【０２０４】
（その他）
本実施形態では、申告情報収集装置２は、医療情報収集装置１から、患者側端末３を介して、登録に係る患者用識別子ＩＤ１を取得した。しかしながら、申告情報収集装置２は、患者側端末３を介さず、登録に係る患者用識別子ＩＤ１を取得してもよい。
【０２０５】
この場合、例えば、ステップ２００１の発行依頼と、ステップ２００６の登録依頼は並行に行われる。医療情報収集装置１では、患者用識別子ＩＤ１が発行される。申告情報収集装置２では、例えば、登録に係る患者用識別子ＩＤ１の待ち受け状態となる。そして、医療情報収集装置１は、発行した患者用識別子ＩＤ１を申告情報収集装置２に送信する。
【０２０６】
このとき、複数台の患者側端末３から登録依頼を受ける可能性があるため、申告情報収集装置２では、医療情報収集装置１から送信される患者用識別子ＩＤ１の発行依頼を行った患者側端末３と、登録依頼に係る患者側端末３とが同一であることを判定する必要がある。
【０２０７】
当該判定は、例えば、患者側端末３のＩＰ（Internet Protocol）アドレスを用いるこ
とで行うことができる。例えば、医療情報収集装置１は、申告情報収集装置２に発行した患者用識別子ＩＤ１を送信するとともに、当該患者用識別子ＩＤ１の発行依頼に係る患者側端末３のＩＰアドレスを送信する。また、申告情報収集装置２は、登録依頼に係る患者側端末３のＩＰアドレスを取得する。そして、申告情報収集装置２は、患者用識別子ＩＤ１とともに送信されるＩＰアドレスと、登録依頼に係る患者側端末３のＩＰアドレスをと照合することで、上記判定を行う。これにより、申告情報収集装置２は、患者側端末３を介さず、登録に係る患者用識別子ＩＤ１を取得し、取得した患者用識別子ＩＤ１を登録することができる。
＜申告情報の蓄積に関する処理例＞
図８は、本実施形態に係る情報処理システム５における申告情報Ｄ５の蓄積に関する処理手順の一例を示したフローチャートである。なお、ステップ３００１〜３００７に係る処理は、ステップ１００１〜１００７に係る処理における医療情報収集装置１を申告情報収集装置２に、申告情報収集装置２を医療情報収集装置１に、医療提供側端末４を患者側端末３に、医療情報Ｄ２を申告情報Ｄ５に、個人情報Ｄ１を患者用識別子ＩＤ１又は私用
識別子ＩＤ２に、共有医療情報Ｄ６を共有申告情報Ｄ３に、記憶部１２を記憶部２２に、医療情報処理部４２１を申告情報処理部３２３に、医療情報取得処理部１２１を申告情報取得処理部２２２に、共有医療情報送信処理部１２４を共有申告情報送信処理部２２４に、共有医療情報取得処理部２２３を共有申告情報取得処理部１２３に読み替えることでほぼ同様の処理と見なせることができる。そのため、ステップ３００１〜３００７については、ステップ１００１〜１００７に係る処理と異なる点を特に説明する。
【０２０８】
（ステップ３００１）
ステップ３００１では、患者側端末３の申告情報処理部３２３によって、申告情報Ｄ５の入力が受け付けられる。例えば、患者は、患者側端末３に接続される入力装置を介して申告情報Ｄ５を入力する。当該入力が完了すると、処理は、次のステップ３００２に進む。
【０２０９】
ここで、申告情報Ｄ５は、例えば、発現している症状、服薬状況、又は、服薬している薬剤に関する情報等である。そこで、例えば、発現している症状について、「熱がある」、「咳がとまらない」、「鼻水がとまらない」「くしゃみがでる」、「喉が痛い」、又は、「頭が痛い」等、具体的な症状を定型化した選択肢が患者側端末３の表示装置に提示されてもよい。そして、患者が、これらの選択肢を選択することで、申告情報Ｄ５が入力されてもよい。この点は、服薬状況、又は、服薬している薬剤に関する情報についても同様である。また、服薬している薬剤の情報は、当該薬剤の処方箋又は説明書の記載内容をスキャナ等の装置により読み込むことで得られる画像データでもよい。また、服薬している薬剤の情報は、当該画像データに対してＯＣＲ（Optical Character Reader）処理を行うことで得られる文字データでもよい。なお、申告情報Ｄ５には、当該情報が作成された時刻を示すタイムスタンプが含まれてもよい。
【０２１０】
（ステップ３００２）
ステップ３００２では、申告情報処理部３２３によって、ステップ３００１において取得された申告情報Ｄ５の送信処理が行われる。当該送信処理後、処理は、次のステップ３００３に進む。
【０２１１】
（ステップ３００３）
ステップ３００３では、申告情報収集装置２において申告情報Ｄ５が取得される。本実施形態では、申告情報取得処理部２２２が、患者側端末３から送信される申告情報Ｄ５を受信することで、申告情報Ｄ５を取得する。申告情報Ｄ５が取得されると、処理は、次のステップ３００４に進む。なお、申告情報Ｄ５の取得は、ステップ１００３における医療情報Ｄ２の取得と同様に、本実施形態以外の方法で取得されてもよい。
【０２１２】
（ステップ３００４）
ステップ３００４では、申告情報Ｄ５が蓄積される。本実施形態では、申告情報取得処理部２２２が、申告情報収集装置２において、ステップ３００３で取得された申告情報Ｄ５を、患者用識別子ＩＤ１に対応付けて、記憶部２２に格納する。申告情報Ｄ５が記憶部２２に格納されると、処理は、次のステップ３００５に進む。
【０２１３】
本実施形態では、申告情報Ｄ５と患者用識別子ＩＤ１とが１件の登録情報２１１に含まれることで、申告情報Ｄ５と患者用識別子ＩＤ１とが対応付けられる。よって、申告情報取得処理部２２２は、ステップ３００３で取得した申告情報Ｄ５に係る患者の登録情報２１１を特定することで、申告情報Ｄ５を追加すべき登録情報２１１を特定する。なお、例えば、患者側端末３の申告情報処理部３２３により指定される患者用識別子ＩＤ１を用いることで、申告情報取得処理部２２２は、申告情報Ｄ５を追加すべき登録情報２１１を特定することができる。
【０２１４】
なお、ここで、申告情報取得処理部２２２は、申告情報処理部３２３により指定される私用識別子ＩＤ２を用いることで、申告情報Ｄ５を追加すべき登録情報２１１を特定してもよい。ただし、この場合、特定される登録情報２１１には、患者用識別子ＩＤ１が含まれていない場合がある。この登録情報２１１は、医療情報収集装置１において患者用識別子ＩＤ１が発行されていない患者の登録情報である。
【０２１５】
（ステップ３００５）
ステップ３００５では、申告情報収集装置２において、患者用識別子ＩＤ１が登録されているか否かが判定される。共有申告情報Ｄ３を医療情報収集装置１に送信するため、共有申告情報送信処理部２２４によって、ステップ３００４において申告情報Ｄ５を追加した登録情報２１１に患者用識別子ＩＤ１が含まれているかどうかの判定がなされる。ステップ３００４において申告情報Ｄ５を追加した登録情報２１１に患者用識別子ＩＤ１が含まれている場合、処理は、次のステップ３００６に進む。他方、ステップ３００４において申告情報Ｄ５を追加した登録情報２１１に患者用識別子ＩＤ１が含まれていない場合、処理は、終了する。
【０２１６】
（ステップ３００６）
ステップ３００６では、共有申告情報送信処理部２２４によって、申告情報収集装置２から医療情報収集装置１に対して、申告情報Ｄ５についての共有申告情報Ｄ３に係る送信処理が実行される。本実施形態では、共有申告情報送信処理部２２４は、ステップ３００３において取得した申告情報Ｄ５を対象に、共有申告情報Ｄ３の作成と送信とを実行する。
【０２１７】
共有申告情報Ｄ３は、申告情報Ｄ５の少なくとも一部の情報である。また、申告情報Ｄ５は、患者が申告する服薬又は症状に関連する情報であり、例えば、発現している症状、服薬状況、又は、服薬している薬剤に関する情報等である。
【０２１８】
ここで、例えば、申告情報Ｄ５に含まれる複数種類の情報について、共有申告情報Ｄ３に含めるべき情報が設定されている。例えば、申告情報Ｄ５に含まれる服薬状況は共有申告情報Ｄ３に含めるべき情報であるというように、当該設定によって、申告情報Ｄ５に含まれる複数種類の情報のうち、共有申告情報Ｄ３に含めるべき情報が指定される。共有申告情報送信処理部２２４は、当該設定に従って、共有申告情報Ｄ３を作成し、作成した共有申告情報Ｄ３を医療情報収集装置１に送信する。
【０２１９】
（ステップ３００７）
ステップ３００７では、共有申告情報取得処理部１２３により、医療情報収集装置１において、共有申告情報Ｄ３が蓄積される。当該蓄積に係る処理が完了すると、本実施形態における申告情報Ｄ５に係る一連の処理が終了する。なお、共有申告情報Ｄ３を追加する患者情報１１１の特定は、患者用識別子ＩＤ１を用いて行われる。
【０２２０】
（その他）
なお、共有申告情報Ｄ３を取得するための処理（ステップ３００５〜ステップ３００７）のタイミング、及び、共有申告情報Ｄ３の取得先については、ステップ１００５〜１００７に係る処理と同様に説明することができる。
【０２２１】
共有申告情報Ｄ３を取得するための処理は、定期的に実行されてもよいし、医療情報収集装置１から申告情報収集装置２に対して、共有申告情報Ｄ３の送信が要求されることに応じて、実行されてもよい。また、共有申告情報Ｄ３は、患者側端末３から取得されてもよい。
＜その他の動作＞
本実施形態では、医療情報収集装置１において提供される医療情報Ｄ２は、医療提供施設に従事する医療従事者（例えば、医師又は薬剤師）によって利用される。医療従事者は、医療提供側端末４から、医療情報収集装置１に接続する。そして、医療従事者は、医療情報収集装置１から所望の医療情報Ｄ２（患者情報１１１）を取得する。このような処理は、主に、医療情報収集装置１の情報提供部１２５によって実現される。
【０２２２】
例えば、医療従事者が、医療提供側端末４を操作することで、情報提供に係る患者の個人情報Ｄ１が指定される。情報提供部１２５は、当該指定に係る個人情報Ｄ１を含む患者情報１１１を、記憶部１２に格納されている患者情報１１１から検索する。そして、検索の結果、情報提供部１２５は、該当する患者情報１１１を、医療提供側端末４に送信することで、患者の医療情報を提供する。
【０２２３】
ここで、提供される患者情報１１１には、共有申告情報Ｄ３が含まれている。例えば、共有申告情報Ｄ３には、患者の服薬状況を示す情報が含まれている。よって、医療従事者は、本実施形態における情報処理システム５により提供される情報により、医療情報に加えて、例えば、自身が処方した薬の服薬状況、又は、患者自身が購入した薬の服薬状況を知ることができる。
【０２２４】
なお、このような医療提供側端末４からの情報提供の要求に際して、医療提供者用識別子ＩＤ３が指定される場合がある。この場合、情報提供部１２５は、情報提供の要求に係る医療従事者が従事する医療提供施設を特定し、特定した医療提供施設以外の医療提供施設で作成された部分を取り除いた上で、医療情報Ｄ２を提供してもよい。
【０２２５】
医療従事者が従事する医療提供施設の特定には、例えば、医療従事者用識別子ＩＤ３と医療提供施設との対応関係を示すテーブルが利用されてもよい。当該テーブルは、記憶部１２に格納される。そして、医療情報Ｄ２には、当該医療情報Ｄ２が作成された医療提供施設を示す情報が含まれてもよい。これにより、情報提供部１２５は、医療従事者用識別子ＩＤ３が指定されると、上記テーブルから、指定された医療従事者用識別子ＩＤ３に係る医療従事者が従事する医療提供施設を特定することができる。そして、情報提供部１２５は、特定した医療提供施設と、医療情報Ｄ２に含まれるに当該医療情報Ｄ２が作成された医療提供施設を示す情報とに基づいて、情報提供の要求に係る医療従事者に提供可能な医療情報Ｄ２を特定することができる。
【０２２６】
また、医療情報Ｄ２に、閲覧可能な医療従事者に係る医療従事者用識別子ＩＤ３が対応付けられていてもよい。これにより、情報提供部１２５は、医療従事者用識別子ＩＤ３が指定されると、当該医療従事者用識別子ＩＤ３に係る医療従事者に提供可能な医療情報Ｄ２を特定することができる。
【０２２７】
また、本実施形態では、申告情報収集装置２において提供される申告情報Ｄ５は、患者自身によって利用できることは言うまでもないが、特に、患者の個人情報の利用を制限される者（例えば、製薬会社の社員等）に利用される。例えば、患者の個人情報の利用を制限される者は、自身の情報処理端末から、申告情報収集装置２に接続する。そして、患者の個人情報の利用を制限される者は、申告情報収集装置２から所望の申告情報Ｄ５（例えば、患者用識別子ＩＤ１と私用識別子ＩＤ２とを登録情報２１１から除いた情報）を取得する。このような処理は、主に、申告情報収集装置２の情報提供部２２５によって実現される。
【０２２８】
例えば、患者の個人情報の利用を制限される者は、自己の情報処理端末を操作することで、情報提供に係る患者の患者属性の条件を指定する。情報提供部２２５は、当該指定さ
れた患者属性の条件に基づいて、記憶部２１に格納されている登録情報２１１から、当該条件に該当する患者属性Ｄ４を含む登録情報２１１を特定する。そして、情報提供部２２５は、特定した登録情報２１１から、患者用識別子ＩＤ１及び私用識別子ＩＤ２等の、不特定多数に公開が望まれない情報を取り除く。後悔が望まれない情報を取り除いた後、情報提供部２２５は、当該特定した登録情報２１１を、情報の提供を要求した情報処理端末に送信することで、患者の申告情報を提供する。
【０２２９】
ここで、提供される登録情報２１１には、患者を一意に特定することはできないが、統計処理に用いることができる患者属性が含まれている。また、提供される登録情報２１１には、医療情報収集装置１に蓄積される医療情報の少なくとも一部の情報である共有医療情報Ｄ６が含まれている。よって、患者の個人情報の利用を制限される者は、患者自身が申告した申告情報とともに、医療情報の少なくとも一部の情報を利用することができる。また、患者の個人情報の利用を制限される者は、患者属性に基づいて、当該申告情報と医療情報の少なくとも一部の情報とを統計処理することができる。
【０２３０】
§４  変形例
本実施形態では、患者や医療従事者の識別のために、患者用識別子ＩＤ１、私用識別子ＩＤ２、及び、医療従事者用識別子ＩＤ３の３つの識別子が用いられている。よって、例えば、当該３つの識別子にパスワードを組み合わせることにより、医療情報収集装置１又は申告情報収集装置２を利用する患者や医療従事者の認証を行ってもよい。
【０２３１】
また、本実施形態では、医療情報収集装置１と申告情報収集装置２との間で医療情報Ｄ２と申告情報Ｄ５の共有化が図られている。よって、医療情報収集装置１及び申告情報収集装置２は、当該情報の関するシステム管理者の管理者端末と接続されてもよい。この時、例えば、システム管理者は、管理者用識別子により、医療情報収集装置１及び申告情報収集装置２にアクセスし、両装置に蓄積されている医療情報Ｄ２（共有医療情報Ｄ６）と申告情報Ｄ５（共有申告情報Ｄ３）とを比較し、エラーが生じていないか等の管理を行ってもよい。
【０２３２】
また、本実施形態において用いられる患者用識別子ＩＤ１、私用識別子ＩＤ２、及び、医療従事者用識別子ＩＤ３の発行において、システム管理者の管理者端末からの承認処理を設けてもよい。この場合、例えば、各識別子の発行が各装置において行われる際に、当該各装置は、当該識別子を発行することを管理者端末に通知する。そして、当該通知に応じて、管理者端末から承認通知が返信されることで、当該各装置は、各識別子の発行を実行する。
【符号の説明】
【０２３３】
１  医療情報収集装置
２  申告情報収集装置
３  患者側端末
４  医療提供側端末
５  情報処理システム
１１、２１、３１、４１  記憶部
１２、２２、３２、４２  制御部
１４、２４、３４、４４  入出力部
１１１  患者情報
１２１  医療情報取得処理部
１２２  患者用識別子発行部
１２３  共有申告情報取得処理部
１２４  共有医療情報送信処理部
１２５、２２５  情報提供部
２１１  登録情報
２２１  患者用識別子登録処理部
２２２  申告情報取得処理部
２２３  共有医療情報取得処理部
２２４  共有申告情報送信処理部
２２５  情報提供部
２２６  私用識別子発行部
３２１  発行依頼部
３２２  登録依頼部
３２３  申告情報処理部
４２１  医療情報処理部
Ｄ１  個人情報
Ｄ２  医療情報
Ｄ３  共有申告情報
Ｄ４  患者属性
Ｄ５  申告情報
Ｄ６  共有医療情報
ＩＤ１  患者用識別子
ＩＤ２  私用識別子
ＩＤ３  医療従事者用識別子
【図１】
2015146215.tif 000003
【図２】
2015146215.tif 000004
【図３】
2015146215.tif 000005
【図４】
2015146215.tif 000006
【図５】
2015146215.tif 000007
【図６】
2015146215.tif 000008
【図７】
2015146215.tif 000009
【図８】
2015146215.tif 000010
【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
患者に対応する患者用識別子を、統計処理に用いることができ、かつ、前記患者を一意に特定することができない患者属性に対応付けて登録する手段と、
前記患者が申告する服薬又は症状に関連する申告情報を取得する手段と、
取得した前記申告情報に係る患者の登録した前記患者用識別子に対応付けて、取得した前記申告情報を蓄積する手段と、
登録した前記患者用識別子により識別され、かつ、登録した前記患者用識別子に対応する個人情報により特定される前記患者について、医療情報収集装置において蓄積される医療情報の少なくとも一部の情報を取得する手段と、
他の情報処理装置によって指定された前記患者属性の条件に基づいて、当該患者属性に対応付けられる前記患者用識別子に対応付けられる前記申告情報、及び、当該患者属性に対応付けられる前記患者用識別子に対応する個人情報により特定される前記患者についての前記医療情報の少なくとも一部の情報を特定し、特定された前記申告情報及び前記医療情報の少なくとも一部の情報を前記他の情報処理装置に提供する手段と、
を備える申告情報収集装置。
【請求項２】
申告情報収集装置が、
患者に対応する患者用識別子を、統計処理に用いることができ、かつ、前記患者を一意に特定することができない患者属性に対応付けて登録するステップと、
前記患者が申告する服薬又は症状に関連する申告情報を取得するステップと、
取得した前記申告情報に係る患者の登録した前記患者用識別子に対応付けて、取得した前記申告情報を蓄積するステップと、
登録した前記患者用識別子により識別され、かつ、登録した前記患者用識別子に対応する個人情報により特定される前記患者について、医療情報収集装置において蓄積される医療情報の少なくとも一部の情報を取得するステップと、
他の情報処理装置によって指定された前記患者属性の条件に基づいて、当該患者属性に対応付けられる前記患者用識別子に対応付けられる前記申告情報、及び、当該患者属性に対応付けられる前記患者用識別子に対応する個人情報により特定される前記患者についての前記医療情報の少なくとも一部の情報を特定し、特定された前記申告情報及び前記医療情報の少なくとも一部の情報を前記他の情報処理装置に提供するステップと、
を実行する申告情報収集方法。
【請求項３】
申告情報収集装置が、
患者に対応する患者用識別子を、統計処理に用いることができ、かつ、前記患者を一意に特定することができない患者属性に対応付けて登録するステップと、
前記患者が申告する服薬又は症状に関連する申告情報を取得するステップと、
取得した前記申告情報に係る患者の登録した前記患者用識別子に対応付けて、取得した前記申告情報を蓄積するステップと、
登録した前記患者用識別子により識別され、かつ、登録した前記患者用識別子に対応する個人情報により特定される前記患者について、医療情報収集装置において蓄積される医療情報の少なくとも一部の情報を取得するステップと、
他の情報処理装置によって指定された前記患者属性の条件に基づいて、当該患者属性に対応付けられる前記患者用識別子に対応付けられる前記申告情報、及び、当該患者属性に対応付けられる前記患者用識別子に対応する個人情報により特定される前記患者についての前記医療情報の少なくとも一部の情報を特定し、特定された前記申告情報及び前記医療情報の少なくとも一部の情報を前記他の情報処理装置に提供するステップと、
を実行するための申告情報収集プログラム。